(57)【要約】本発明の目的は、使用開始時から吸収容量の限界に達する最終段階時に至るまで、吸収速度が経時的に大きく低下することがなく、かつ、リウェット量が極めて少ない吸収体製品を提供することである。上側に位置する液不透過性のサーフェスシートと、下側に位置する液不透過性のバックシートと、前記サーフェスシートと前記バックシートとの間に介在する、高吸水性樹脂を含有し排出液を吸収しうる吸収体とを具備し、前記サーフェスシートに供給された排出液の一部または全部を前記バックシートの側に移動させるための流路を有する、吸収体製品により、上記目的が達成される。
2004052257.tif 000002
【特許請求の範囲】
【請求項１】
上側に位置する液不透過性のサーフェスシートと、
下側に位置する液不透過性のバックシートと、
前記サーフェスシートと前記バックシートとの間に介在する、高吸水性樹脂を含有し排出液を吸収しうる吸収体と
を具備し、
前記サーフェスシートに供給された排出液の一部または全部を前記バックシートの側に移動させるための流路を有する、吸収体製品。
【請求項２】
前記流路が、前記吸収体の前後両端部、左右両端部および中央部の少なくとも一つに設けられている請求の範囲第１項に記載の吸収体製品。
【請求項３】
前記サーフェスシートが、単層の合成樹脂フィルムからなる請求の範囲第１項または第２項に記載の吸収体製品。
【請求項４】
前記サーフェスシートが、合成樹脂フィルムと前記合成樹脂フィルムの上側の面に設けられた不織布との積層体からなる請求の範囲第１項または第２項に記載の吸収体製品。
【請求項５】
前記合成樹脂フィルムが前記流路を構成する凹凸を有する請求の範囲第３項または第４項に記載の吸収体製品。
【請求項６】
前記サーフェスシートが、前記吸収体の上側の面の一部が露出するように配置されている請求の範囲第１項〜第５項のいずれかに記載の吸収体製品。
【請求項７】
前記サーフェスシートが、液透過性部を有する請求の範囲第１項〜第６項のいずれかに記載の吸収体製品。
【請求項８】
前記サーフェスシートの上側の面の少なくとも一部に、前記流路を有する液透過性のガイドシートが積層されている請求の範囲第１項〜第７項のいずれかに記載の吸収体製品。
【請求項９】
前記ガイドシートが、前記吸収体の側面の少なくとも一部を、直接にまたは前記サーフェスシートの上から、覆っている請求の範囲第８項に記載の吸収体製品。
【請求項１０】
前記ガイドシートが、前記流路を構成する凹凸を有し、凸部の一部または全部に開口を有する請求の範囲第８項または第９項に記載の吸収体製品。
【請求項１１】
前記サーフェスシートまたは前記ガイドシートの上側の面の少なくとも一部に、液透過性の不織布からなるスキンコンタクトシートが積層されている請求の範囲第１項〜第１０項のいずれかに記載の吸収体製品。
【請求項１２】
前記バックシートが、合成樹脂フィルムからなる請求の範囲第１項〜第１１項のいずれかに記載の吸収体製品。
【請求項１３】
前記バックシートを構成する前記合成樹脂フィルムが、通気性を有する請求の範囲第１２項に記載の吸収体製品。
【請求項１４】
前記バックシートが、合成樹脂フィルムと前記合成樹脂フィルムの下側の面に設けられた不織布との積層体からなる請求の範囲第１項〜第１１項のいずれかに記載の吸収体製品。
【請求項１５】
前記バックシートを構成する前記合成樹脂フィルムおよび前記不織布が、いずれも通気性を有する請求の範囲第１４項に記載の吸収体製品。
【請求項１６】
前記バックシートを構成する前記合成樹脂フィルムが、凹凸を有し、かつ、凸部の一部または全部に開口を有し、前記バックシートを構成する前記不織布が、１層以上のスパンボンド不織布と１層以上のメルトブローン不織布とを含む２層以上の耐水性の積層体である請求の範囲第１４項または第１５項に記載の吸収体製品。
【請求項１７】
前記バックシートを構成する前記合成樹脂フィルムが、上側の面に液のトラップ部を構成する凹凸を有する請求の範囲第１２項〜第１６項のいずれかに記載の吸収体製品。
【請求項１８】
前記吸収体が、高吸水性樹脂とフラッフ状パルプとの混合物を、液透過性のコアラッピングシートで被覆してなる請求の範囲第１項〜第１７項のいずれかに記載の吸収体製品。
【請求項１９】
前記吸収体が、２層の液透過性の不織布とその間に挟持された高吸水性樹脂とを有する請求の範囲第１項〜第１７項のいずれかに記載の吸収体製品。
【請求項２０】
前記吸収体が、液透過性の不織布に高吸水性樹脂をコーティング法により担持させてなる請求の範囲第１項〜第１７項のいずれかに記載の吸収体製品。
【請求項２１】
前記吸収体における前記高吸水性樹脂の含有量が５０質量％以上である請求の範囲第１項〜第２０項のいずれかに記載の吸収体製品。
【請求項２２】
請求の範囲第１項〜第２１項のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体ユニット収納部と、
前記吸収体ユニット収納部に着脱自在に収納される、少なくとも前記サーフェスシートと前記吸収体とが組み合わされて構成される吸収体ユニットと
を具備する吸収体製品。
【請求項２３】
前記吸収体製品本体と前記吸収体ユニット収納部との間の少なくとも一部に、前記ガイドシートを具備する請求の範囲第２２項に記載の吸収体製品。
【請求項２４】
前記吸収体製品本体と前記吸収体ユニット収納部との間の少なくとも一部に、液透過性のスキンコンタクトシートを具備する請求の範囲第２２項または第２３項に記載の吸収体製品。
【請求項２５】
前記吸収体ユニット収納部に、積層された複数個の前記吸収体ユニットを具備する請求の範囲第２２項〜第２４項のいずれかに記載の吸収体製品。
【請求項２６】
請求の範囲第１項〜第２１項のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体収納部と、
前記吸収体収納部に着脱自在に収納される吸収体と
を具備し、
前記吸収体製品本体と前記吸収体収納部との間の少なくとも一部に前記サーフェスシートを具備する吸収体製品。
【請求項２７】
前記サーフェスシートの上側の面に、前記ガイドシートが積層されている請求の範囲第２６項に記載の吸収体製品。
【請求項２８】
前記サーフェスシートまたは前記ガイドシートの上側の面の少なくとも一部に、液透過性のスキンコンタクトシートを具備する請求の範囲第２６項または第２７項に記載の吸収体製品。
【請求項２９】
前記吸収体収納部に、積層された複数個の前記吸収体を具備する請求の範囲第２６項〜第２８項のいずれかに記載の吸収体製品。
【請求項３０】
中央部から前身頃までの尿処理部と、中央部から後見頃までの便処理部とを有する請求の範囲第１項〜第２９項のいずれかに記載の吸収体製品であって、
前記サーフェスシートが、前記尿処理部のみに存在する吸収体製品。
【請求項３１】
少なくとも前記便処理部において、液透過性の尿逆流防止シートを前記吸収体の内部および／または上面に具備する請求の範囲第３０項に記載の吸収体製品。
【請求項３２】
前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下である請求の範囲第１項〜第３１項のいずれかに記載の吸収体製品。
【請求項３３】
前記リウェット量が２ｍＬ以下である請求の範囲第３２項に記載の吸収体製品。
【請求項３４】
前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下である、請求の範囲第１項〜第３３項のいずれかに記載の吸収体製品。
【発明の詳細な説明】
【技術分野】  本発明は、吸収体製品に関する。詳しくは、体外排出液の吸収速度が経時的に大きく低下することがなく、かつ、リウェット量が極めて少ない吸収体製品に関する。
【背景技術】  従来の吸収体製品は、上側（着用者の身体に近い側）に位置する液透過性のトップシートと、下側（着用者の身体に遠い側）に位置する液不透過性のバックシートと、これらの間に介在する吸収体とを具備する。この吸収体製品に尿、便、血液含有体液等の体外排出液（以下、単に「排出液」または「液」という。）が供給された場合、排出液は、まず液透過性のトップシートを通過して、吸収体に至る。排出液は、吸収体において、下側に拡散していき、液不透過性のバックシートに至って拡散が停止する。従来の吸収体製品はすべて、このような排出液の吸収機構を利用している。
しかしながら、このような吸収機構を利用する従来の吸収体製品には、二つの大きな本質的問題がある。第一に、排出液の吸収体への吸収量が多くなるに従って、吸収速度が遅くなるという問題がある。第二に、排出液の吸収量が多くなるに従って、特に、吸収容量の限界の付近において、吸収体からトップシートへの液の戻り量、即ち、リウェット量が増大するという問題がある。これらは、液の排出時および排出後における着用者の体表面の水分率を増大させ、蒸れやすく着用感を悪くするとともに、いわゆるオムツかぶれの主因ともなる。
これに対して、これらの問題の解決のために、トップシートや吸収体の性能、構造、通気性等に関して種々の提案がなされているが、未だ根本的な解決に至るような技術は開発されていない。
【発明の開示】
したがって、本発明の目的は、使用開始時から吸収容量の限界に達する最終段階時に至るまで、吸収速度が経時的に大きく低下することがなく、かつ、リウェット量が極めて少ない吸収体製品を提供することである。
本発明者は、上記目的を達成すべく鋭意研究した結果、従来の常識を破り、排出液を供給される部分である液透過性のトップシートの代わりに液不透過性のサーフェスシートを吸収体上に配し、サーフェスシートの上側の面から吸収体の下部に至る流路を設ける構造とすることによって、排出液の一部または全部を吸収体の下側から上側へと拡散させるという吸収機構を実現することができることを見出した。本発明者は、更に、上記吸収機構により、吸収速度が経時的に大きく低下することがなくなり、かつ、リウェット量が極めて少なくなることを見出した。そして、本発明者は、これらの知見に基づき、本発明を完成させた。
即ち、本発明は、以下の（１）〜（３４）を提供する。
（１）上側に位置する液不透過性のサーフェスシートと、
下側に位置する液不透過性のバックシートと、
前記サーフェスシートと前記バックシートとの間に介在する、高吸水性樹脂を含有し排出液を吸収しうる吸収体と
を具備し、
前記サーフェスシートに供給された排出液の一部または全部を前記バックシートの側に移動させるための流路を有する、吸収体製品。
（２）前記流路が、前記吸収体の前後両端部、左右両端部および中央部の少なくとも一つに設けられている上記（１）に記載の吸収体製品。
（３）前記サーフェスシートが、単層の合成樹脂フィルムからなる上記（１）または（２）に記載の吸収体製品。
（４）前記サーフェスシートが、合成樹脂フィルムと前記合成樹脂フィルムの上側の面に設けられた不織布との積層体からなる上記（１）または（２）に記載の吸収体製品。
（５）前記合成樹脂フィルムが前記流路を構成する凹凸を有する上記（３）または（４）に記載の吸収体製品。
（６）前記サーフェスシートが、前記吸収体の上側の面の一部が露出するように配置されている上記（１）〜（５）のいずれかに記載の吸収体製品。
（７）前記サーフェスシートが、液透過性部を有する上記（１）〜（６）のいずれかに記載の吸収体製品。
（８）前記サーフェスシートの上側の面の少なくとも一部に、前記流路を有する液透過性のガイドシートが積層されている上記（１）〜（７）のいずれかに記載の吸収体製品。
（９）前記ガイドシートが、前記吸収体の側面の少なくとも一部を、直接にまたは前記サーフェスシートの上から、覆っている上記（８）に記載の吸収体製品。
（１０）前記ガイドシートが、前記流路を構成する凹凸を有し、凸部の一部または全部に開口を有する上記（８）または（９）に記載の吸収体製品。
（１１）前記サーフェスシートまたは前記ガイドシートの上側の面の少なくとも一部に、液透過性の不織布からなるスキンコンタクトシートが積層されている上記（１）〜（１０）のいずれかに記載の吸収体製品。
（１２）前記バックシートが、合成樹脂フィルムからなる上記（１）〜（１１）のいずれかに記載の吸収体製品。
（１３）前記バックシートを構成する前記合成樹脂フィルムが、通気性を有する上記（１２）に記載の吸収体製品。
（１４）前記バックシートが、合成樹脂フィルムと前記合成樹脂フィルムの下側の面に設けられた不織布との積層体からなる上記（１）〜（１１）のいずれかに記載の吸収体製品。
（１５）前記バックシートを構成する前記合成樹脂フィルムおよび前記不織布が、いずれも通気性を有する上記（１４）に記載の吸収体製品。
（１６）前記バックシートを構成する前記合成樹脂フィルムが、凹凸を有し、かつ、凸部の一部または全部に開口を有し、前記バックシートを構成する前記不織布が、１層以上のスパンボンド不織布と１層以上のメルトブローン不織布とを含む２層以上の耐水性の積層体である上記（１４）または（１５）に記載の吸収体製品。
（１７）前記バックシートを構成する前記合成樹脂フィルムが、上側の面に液のトラップ部を構成する凹凸を有する上記（１２）〜（１６）のいずれかに記載の吸収体製品。
（１８）前記吸収体が、高吸水性樹脂とフラッフ状パルプとの混合物を、液透過性のコアラッピングシートで被覆してなる上記（１）〜（１７）のいずれかに記載の吸収体製品。
（１９）前記吸収体が、２層の液透過性の不織布とその間に挟持された高吸水性樹脂とを有する上記（１）〜（１７）のいずれかに記載の吸収体製品。
（２０）前記吸収体が、液透過性の不織布に高吸水性樹脂をコーティング法により担持させてなる上記（１）〜（１７）のいずれかに記載の吸収体製品。
（２１）前記吸収体における前記高吸水性樹脂の含有量が５０質量％以上である上記（１）〜（２０）のいずれかに記載の吸収体製品。
（２２）上記（１）〜（２１）のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体ユニット収納部と、
前記吸収体ユニット収納部に着脱自在に収納される、少なくとも前記サーフェスシートと前記吸収体とが組み合わされて構成される吸収体ユニットと
を具備する吸収体製品。
（２３）前記吸収体製品本体と前記吸収体ユニット収納部との間の少なくとも一部に、前記ガイドシートを具備する上記（２２）に記載の吸収体製品。
（２４）前記吸収体製品本体と前記吸収体ユニット収納部との間の少なくとも一部に、液透過性のスキンコンタクトシートを具備する上記（２２）または（２３）に記載の吸収体製品。
（２５）前記吸収体ユニット収納部に、積層された複数個の前記吸収体ユニットを具備する上記（２２）〜（２４）のいずれかに記載の吸収体製品。
（２６）上記（１）〜（２１）のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体収納部と、
前記吸収体収納部に着脱自在に収納される吸収体と
を具備し、
前記吸収体製品本体と前記吸収体収納部との間の少なくとも一部に前記サーフェスシートを具備する吸収体製品。
（２７）前記サーフェスシートの上側の面に、前記ガイドシートが積層されている上記（２６）に記載の吸収体製品。
（２８）前記サーフェスシートまたは前記ガイドシートの上側の面の少なくとも一部に、液透過性のスキンコンタクトシートを具備する上記（２６）または（２７）に記載の吸収体製品。
（２９）前記吸収体収納部に、積層された複数個の前記吸収体を具備する上記（２６）〜（２８）のいずれかに記載の吸収体製品。
（３０）中央部から前身頃までの尿処理部と、中央部から後見頃までの便処理部とを有する上記（１）〜（２９）のいずれかに記載の吸収体製品であって、
前記サーフェスシートが、前記尿処理部のみに存在する吸収体製品。
（３１）少なくとも前記便処理部において、液不透過性または耐水性の尿逆流防止シートを前記吸収体の内部および／または上面に具備する上記（３０）に記載の吸収体製品。
（３２）前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下である上記（１）〜（３１）のいずれかに記載の吸収体製品。
（３３）前記リウェット量が２ｍＬ以下である上記（３２）に記載の吸収体製品。
（３４）前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下である、上記（１）〜（３３）のいずれかに記載の吸収体製品。
【図面の簡単な説明】  第１図は、本発明の吸収体製品の一例の一部を示す模式的な横断面図である。
第２図は、本発明の吸収体製品の例の一部を示す模式的な上面図および横断面図である。
第３図（Ａ）は、多数の突起を有するサーフェスシートの一例を示す模式的な斜視図であり、第３図（Ｂ）はその模式的な横断面図である。
第４図（Ａ）および（Ｂ）は、それぞれＶ字溝を有するサーフェスシートの例を示す模式的な横断面図であり、第４図（Ｃ）および（Ｄ）は、それぞれ畝状のサーフェスシートの例を示す模式的な横断面図である。
第５図（Ａ）および（Ｂ）は、それぞれＶ字溝を有するサーフェスシートの例を示す模式的な斜視図である。
第６図は、本発明の吸収体製品の例の一部を示す模式的な横断面図である。
第７図は、本発明の吸収体製品の例の一部を示す模式的な上面図である。
第８図は、流路を構成する凹凸を有し、凸部の全部に開口を有するガイドシートの一例を示す模式的な斜視図である。
第９図は、本発明の吸収体製品の例の一部を示す模式的な横断面図（第９図（Ａ）〜（Ｄ））および斜視図（第９図（Ｅ））である。
第１０図は、本発明の吸収体製品の例の一部を示す模式的な横断面図である。
第１１図は、本発明の吸収体製品の例の一部を示す模式的な上面図である。
第１２図は、本発明に用いられるバックシートの例の模式的な上面図である。
第１３図は、本発明の吸収体製品の例の一部を示す模式的な横断面図である。
第１４図は、本発明の吸収体製品の例の一部を示す模式的な上面図である。
第１５図は、本発明の吸収体製品の一部の例を示す模式的な横断面図である。
第１６図は、本発明の吸収体製品の一部の例を示す模式的な上面図である。
第１７図は、バックシートを構成する部材自体が吸収体収納部を構成する場合のバックシートの形状の好適な適用例の模式的な上面図である。
第１８図（Ａ）および（Ｂ）は、それぞれ積層された複数個の吸収体ユニットおよび積層された複数個の吸収体の例を示す模式的な横断面図であり、第１８図（Ｃ）は、積層された複数個の吸収体ユニットを具備する本発明の吸収体製品の一部の例を示す模式的な横断面図である。
第１９図は、取出用部材を有する本発明の吸収体製品の一例を示す説明図である。
第２０図は、本発明の吸収体製品の一部の例を模式的に示す上面図である。
第２１図は、本発明の吸収体製品の一部の例を模式的に示す縦断面図である。
第２２図は、本発明の吸収体製品の一部の例を模式的に示す縦断面図である。
第２３図は、排出液が吸収体製品に供給された際の挙動を説明するための横断面図である。
第２４図は、実施例に用いた吸収体製品を模式的に示す横断面図である。
第２５図は、実施例における吸収速度の測定の方法の説明図である。
第２６図は、実施例に用いた複数個の吸収体ユニットを具備する吸収体製品を模式的に示す正面図および上面図である。
第２７図は、実施例に用いた吸収体ユニットを模式的に示す横断面図である。
第２８図は、第２７図に示される吸収体ユニットを用いた吸収体製品を模式的に示す横断面図である。
第２９図は、実施例における尿・便処理兼用の吸収体製品のリウェット量の測定の方法の説明図である。
第３０図は、従来の吸収体製品の一例の一部を示す模式的な横断面図である。
【発明を実施するための最良の形態】  以下、本発明の吸収体製品を添付図面に示す好適実施形態に基づいて詳細に説明する。なお、本発明における各図は、模式図であって、吸収体製品の厚さ方向を大きく描いている。
第１図は、本発明の吸収体製品の一例の一部を示す模式的な横断面図である。第１図においては、紙面に垂直な方向が、吸収体製品の前後方向（即ち、着用時に着用者の身体の前後に相当する方向）である（以下、すべての横断面図において同じ。）。第１図（Ａ）は、本発明の吸収体製品の構造の説明図であり、第１図（Ｂ）は、本発明の吸収体製品の使用状態の説明図である。
第１図（Ａ）に示されるように、本発明の吸収体製品は、液不透過性のサーフェスシート１０と、液不透過性のバックシート１２と、サーフェスシート１０とバックシート１２との間に介在する、高吸水性樹脂（Ｓｕｐｅｒ  Ａｂｓｏｒｂｅｎｔ  Ｐｏｌｙｍｅｒ、以下「ＳＡＰ」ともいう。）を含有し排出液を吸収しうる吸収体１４とを具備する。
本発明の吸収体製品に排出液が供給されると、第１図（Ｂ）に示されるように、上側に位置するサーフェスシート１０が液不透過性であるため、排出液はサーフェスシート１０の表面をその端部まで移動する。サーフェスシート１０の端部まで移動した排出液は、バックシート１２が液不透過性であるため、吸収体１４に一部吸収されつつ、吸収体１４とバックシート１２との間に形成される流路１６をバックシート１２の内表面に沿って移動し、吸収体１４に主に下側から吸収される。このようにして排出液は吸収体１４の下側から吸収され、その後、上側に拡散していく。
このように、本発明の吸収体製品は、サーフェスシートに供給された排出液の一部または全部をバックシートの側に移動させるための流路を有するところに特徴がある。このような流路は、前記吸収体の前後両端部、左右両端部および中央部の少なくとも一つに設けられているのが好ましい。
第２図は、本発明の吸収体製品の例の一部を示す模式的な上面図（第２図（Ａ）および（Ｂ））および横断面図（第２図（Ｃ）および（Ｄ））である。第２図（Ａ）および（Ｂ）においては、図の上下方向が吸収体製品の前後方向である（以下、すべての上面図において同じ。）。第２図においては、説明の便宜上、サーフェスシート１０とバックシート１２と吸収体１４のみを示している。
第２図（Ａ）および（Ｃ）で表される吸収体製品においては、吸収体１４がその上面の全面をサーフェスシート１０に覆われており、その側面および下面の全面をバックシート１２に覆われている。この吸収体製品は、吸収体１４の前端部Ａ、後端部Ｂ、左端部Ｃおよび右端部Ｄのすべてに流路を有する。
第２図（Ｂ）および（Ｄ）で表される吸収体製品においては、２個の吸収体１４が間隙を隔てて左右に並べられ、それらの上面の全面を２枚のサーフェスシート１０に覆われており、それらの外側の側面および下面の全面を１枚のバックシート１２に覆われている。この吸収体製品は、吸収体１４の前端部Ａ、後端部Ｂ、左端部Ｃ、右端部Ｄおよび中央部Ｅのすべてに流路を有する。
第３０図は、従来の吸収体製品の一例の一部を示す模式的な横断面図である。第３０図（Ａ）は、従来の吸収体製品の構造の説明図であり、第３０図（Ｂ）は、従来の吸収体製品の使用状態の説明図である。
従来の吸収体製品は、通常、液透過性のトップシート１１と、液不透過性のバックシート１２と、トップシート１１とバックシート１２との間に介在する吸収体１４とを具備する。
従来の吸収体製品に排出液が供給されると、第３０図（Ｂ）に示されるように、上側に位置するトップシート１１が液透過性であるため、排出液はトップシート１１を通過して、吸収体１４に上側から吸収され、その後、下側に拡散していく。
これに対して、本発明の吸収体製品は、上述した構造により、排出液の一部または全部を吸収体１４の下側から上側へと拡散させるという吸収機構を実現したところに特徴がある。そして、この吸収機構により、吸収速度が経時的に大きく低下することがなくなり、かつ、リウェット量が極めて少なくなるのである。
本発明に用いられるサーフェスシート１０は、液不透過性である。本明細書において、「液不透過性」とは、排出液を実質的に透過させない性質を意味する。
サーフェスシート１０は、液不透過性であれば材料、構成等を特に限定されず、例えば、単層の合成樹脂フィルム、合成樹脂フィルムとその上側の面に設けられた不織布との積層体が好適に挙げられる。合成樹脂フィルムとしては、例えば、ＰＥ（ポリエチレン）、ＰＰ（ポリプロピレン）、ＰＥＴ（ポリエチレンテレフタレート）、ポリウレタン、架橋ＰＶＡ（ポリビニルアルコール）等のフィルム、空気を通すが液を透過しないいわゆる通気性フィルムが挙げられる。
サーフェスシート１０に用いられる合成樹脂フィルムは、流路１６を構成する凹凸を有するのが好ましい態様の一つである。ただし、本発明の吸収体製品が後述するガイドシートを有する場合は、流路１６を構成する凹凸を有しない場合であっても好適に用いられる。
また、サーフェスシート１０として、平滑で比較的軟らかい合成樹脂フィルムを用いる場合、配置される吸収体の表面に凹凸があると、その部分でフィルムが変形し、排出液が滞留してしまう場合がある。この場合は、合成樹脂フィルムと吸収体の上面を圧着させて平滑にするか、中央部を高くし、左右に屋根型等の勾配を有する構造にするかにより、排出液を速やかに移動させるようにすることができる。
凹凸を有する形状としては、例えば、多数の突起を有する形状、Ｖ字溝、Ｕ字溝等の溝を有する形状、うろこ状に重なり合った瓦状（ｉｍｂｒｉｃａｔｅ）、畝状が挙げられる。
第３図（Ａ）は、多数の突起を有するサーフェスシートの一例を示す模式的な斜視図であり、第３図（Ｂ）はその模式的な横断面図である。
サーフェスシート１０ａにおいては、多数の凹部が連なって排出液の流路１６として機能する。第３図に示されるサーフェスシート１０ａは、凸部を形成する多数の突起１８を有している。
サーフェスシート１０ａの凹凸の大きさは、取扱い性、コスト等を考慮すると、凸部を形成する突起１８の高さＨが０．３ｍｍ以上であるのが好ましく、０．５〜１．５ｍｍであるのがより好ましい。
サーフェスシート１０ａは、凸部が使用時に多少つぶれたとしても、排出液の流通が阻害されないという利点を有する。
第４図（Ａ）および（Ｂ）は、それぞれＶ字溝を有するサーフェスシートの例を示す模式的な横断面図であり、第４図（Ｃ）および（Ｄ）は、それぞれ畝状のサーフェスシートの例を示す模式的な横断面図である。
第５図（Ａ）および（Ｂ）は、それぞれＶ字溝を有するサーフェスシートの例を示す模式的な斜視図である。第５図（Ａ）においては、一方向のみにＶ字溝が形成されており、第５図（Ｂ）においては、直交する二方向にＶ字溝が形成されている。なお、溝の形状、方向、数、間隔等は、特に限定されない。また、畝状の場合も同様である。
サーフェスシート１０と吸収体１４の位置関係について説明する。
上述したように、サーフェスシート１０は、吸収体１４の上側に位置するものであり、特に限定されないが、具体的には、例えば、以下のような関係とすることができる。
第６図は、本発明の吸収体製品の例の一部を示す模式的な横断面図である。第６図においては、説明の便宜上、サーフェスシート１０と吸収体１４のみを示している。
第６図（Ａ）においては、サーフェスシート１０は、吸収体１４の上面を左右方向に全体に覆っている。この場合、サーフェスシート１０に供給された排出液は、サーフェスシート１０の表面に沿って速やかに吸収体１４の左右両端部の上部まで移動する。
第６図（Ｂ）においては、サーフェスシート１０は、吸収体１４の上面を左右方向に全体に覆い、更に、吸収体の左右の側面まで覆っている。この場合、サーフェスシート１０に供給された排出液は、サーフェスシート１０の表面に沿って速やかに吸収体１４の左右両端部の下部まで移動する。したがって、第６図（Ａ）の場合に比べて、吸収体１４の下部から吸収される排出液の割合が多くなる。
第６図（Ｃ）においては、サーフェスシート１０は、吸収体１４の上面を左右方向に全体に覆い、更に、吸収体の左右の側面および下面の一部まで覆っている。この場合、サーフェスシート１０に供給された排出液は、サーフェスシート１０の表面に沿って速やかに吸収体１４の下面まで移動する。したがって、第６図（Ｂ）の場合に比べて、排出液が吸収体１４の下面の中央部から吸収されやすくなる。
第６図（Ｄ）においては、サーフェスシート１０は、吸収体１４の上面を左右方向に一部のみ覆っている。この場合、サーフェスシート１０に供給された排出液は、サーフェスシート１０の表面に沿って速やかに吸収体１４の上面の端部よりに移動する。したがって、排出液の一部は、吸収体１４の上面から吸収されるが、残りは吸収体１４の側面および下面から吸収される。本発明においては、このように、排出液の一部が吸収体１４の下面以外の部分から吸収されてもよい。
第６図（Ｅ）においては、２個の吸収体１４が流路１６を隔てて左右に並べられ、２枚のサーフェスシート１０が、各吸収体１４の上面を左右方向に全体に覆い、更に、吸収体の左右の側面まで覆っている。そして、流路１６中に、サーフェスシート１０が延在している。この場合、サーフェスシート１０に供給された排出液は、サーフェスシート１０の表面に沿って速やかに流路１６の下部まで移動するとともに、その一部は外側の端部の下部まで移動する。したがって、排出液が吸収体１４における吸収体製品の中央部および外側部の両方に相当する部分から吸収されやすくなる。
第６図（Ｆ）においては、２個の吸収体１４が流路１６を隔てて左右に並べられ、２枚のサーフェスシート１０が、各吸収体１４の上面の全体を覆っている。この場合、サーフェスシート１０に供給された排出液は、サーフェスシート１０の表面に沿って速やかに各吸収体１４の外側の端部の上部まで移動するとともに、流路１６を通じて流路１６の下部まで移動する。この場合、排出液は、各吸収体１４の側面および下面から吸収されやすくなる。
第７図は、本発明の吸収体製品の例の一部を示す模式的な上面図である。第７図においては、説明の便宜上、サーフェスシート１０と吸収体１４のみを示している。
第７図（Ａ）においては、吸収体１４の上面の全体をサーフェスシート１０が覆っている。
第７図（Ｂ）においては、２個の吸収体１４が流路１６を隔てて左右に並べられ、２枚のサーフェスシート１０が、各吸収体１４の上面の全体を覆っている。
第７図（Ｃ）においては、サーフェスシート１０が、吸収体１４の上面の前後方向の一部を左右方向の全体に覆っており、吸収体１４の上面の一部がサーフェスシート１０の前後端部において露出している。
第７図（Ｄ）においては、サーフェスシート１０が、吸収体１４の上面の左右方向の一部を前後方向の全体に覆っており、吸収体１４の上面の一部がサーフェスシート１０の左右端部において露出している。
第７図（Ｅ）においては、２枚のサーフェスシート１０が、吸収体１４の上面の左右端部を覆っており、吸収体１４の上面の一部が中央部において露出している。
第７図（Ｆ）においては、サーフェスシート１０が吸収体１４の上面の全体を覆っているが、サーフェスシート１０は、左右方向の中央部に液透過性部２０を有している。
第７図（Ｇ）においては、サーフェスシート１０が吸収体１４の上面の全体を覆っているが、サーフェスシート１０は、左右方向の２箇所の所定部分に液透過性部２０を有している。
第７図（Ｆ）および（Ｇ）における液透過性部２０は、液透過性であれば材料、構成等を特に限定されず、例えば、サーフェスシート１０に開口を設けて液透過性としたものであってもよいし、サーフェスシート１０の一部を液透過性の材料（例えば、スパンボンド不織布）で構成してもよい。本明細書において、「液透過性」とは、排出液を実質的に透過させる性質を意味する。
第７図（Ａ）および（Ｂ）の場合、いずれもサーフェスシート１０に供給された排出液は、吸収体１４の上面から吸収されることなく、吸収体１４の側面および下面から吸収される。
第７図（Ｃ）〜（Ｇ）の場合、いずれもサーフェスシート１０に供給された排出液は、吸収体１４の露出した部分から、または液透過性部２０を通じて、一部が吸収体１４の上面から吸収され、残りが吸収体１４の側面および下面から吸収される。
このように、排出液が吸収体１４の上面、側面および下面のすべてから吸収される態様は、吸収速度が速くなる点では好ましいが、リウェット量の点では、若干性能が低下する方向になる。サーフェスシートが、吸収体の上側の面の一部が露出するように配置されている本発明の吸収体製品の他の態様としては、例えば、サーフェスシートを着用者の尿排出局部の近傍のみに部分的に配置させ、その部分のドライ性を確保する態様が挙げられる。
第６図（Ａ）〜（Ｆ）に示した位置関係と、第７図（Ａ）〜（Ｇ）に示した位置関係とは、組み合わせが可能な範囲で適宜組み合わせて、各種の配置とすることができる。また、サーフェスシート１０と吸収体１４とは、上述した以外の位置関係とすることもできる。
本発明においては、サーフェスシートの上側の面の少なくとも一部に、流路を有する液透過性のガイドシートが積層されているのが好ましい態様の一つである。ガイドシートは、供給された排出液がその流路を通じて吸収体の下側へ移動することを助ける。したがって、ガイドシートが積層されている場合、サーフェスシートを構成する合成樹脂フィルムが、流路を構成する凹凸を有していなくても、ガイドシートにより吸収体の下側への排出液の速やかな拡散が実現される。
排出液は、ガイドシートの流路を、毛細管現象ならびに湿潤、浸透および拡散により、移動する。この排出液の移動が効率的に起こるようにするためには、ガイドシートに親水性とある程度の厚さがあるのが好ましい。具体的には、例えば、液分配効果のある凹凸開口フィルムまたは凹凸成形プラスチックネット（例えば、本発明者が国際公開第０２／０６５９６５号パンフレットにおいて提案したもの）；嵩高な積層不織布（例えば、本発明者が特願２００１−２９７１６１号明細書および特願２００１−２９７１６２号明細書において提案した、表面が平滑なペーパー層または不織布層と表面が嵩高で凹凸のある繊維ウェブ層とが互いに接合されてなる複合体シート）を用いることができる。
ガイドシートは、流路を構成する凹凸を有し、凸部の一部または全部に開口を有するのが好ましい態様の一つである。
第８図は、流路を構成する凹凸を有し、凸部の全部に開口を有するガイドシートの一例を示す模式的な斜視図である。
ガイドシート２２においては、多数の凹部が連なって排出液の流路１６として機能する。第８図に示されるガイドシート２２は、凸部を形成する多数の突起２４を有しており、各突起２４はその頂点に開口２６を有している。
第８図に示されるような、凸部に開口を有するガイドシートは、疎水性材料からなる場合であっても、この開口も排出液の流路として機能する。即ち、排出液が開口を通してガイドシートの一方の側から他方の側へと移動するのである。
開口は、凸部の一部のみに設けられていてもよく、全部に設けられていてもよい。また、開口の単位面積あたりの個数は、特に限定されないが、１．０〜１００個／ｃｍ２であるのが好ましい。
ガイドシート２２の凹凸の大きさは、取扱い性、コスト等を考慮すると、凸部を形成する突起２４の高さｈが０．３ｍｍ以上であるのが好ましく、０．５〜１．５ｍｍであるのがより好ましい。
ガイドシート２２は、凸部が使用時に多少つぶれたとしても、排出液の流通が阻害されないという利点を有する。
ガイドシート２２は、突起２４が下側に向いているのが好ましい。これにより突起２４とサーフェスシートの表面との間隙により形成される流路が大きくなり、排出液のガイドシート表面からサーフェスシート表面への移動が円滑になるからである。
また、本発明においては、サーフェスシートまたはガイドシートの上側の面の少なくとも一部に、液透過性の不織布からなるスキンコンタクトシートが積層されているのが好ましい態様の一つである。スキンコンタクトシートは、着用者の肌に直接接触する部分であり、このスキンコンタクトシートを設けることによって、着用感を向上させることができる。スキンコンタクトシートとしては、従来の吸収体製品のトップシートとして用いられているものを用いることができるが、抗菌性等のスキンケア性能を付与してもよい。また、本発明者らが、国際公開第０２／００１５４号パンフレットで提案したような特殊なスキンコンタクトシートを用いることもできる。
以上に説明したサーフェスシート、ガイドシートおよびスキンコンタクトシートの好適な構成例を具体的に説明する。
第９図は、本発明の吸収体製品の例の一部を示す模式的な横断面図（第９図（Ａ）〜（Ｄ））および斜視図（第９図（Ｅ））である。第９図においては、説明の便宜上、サーフェスシート１０と吸収体１４とガイドシート２２とスキンコンタクトシート２８のみを示している。
第９図（Ａ）においては、サーフェスシート１０が、合成樹脂フィルムと前記合成樹脂フィルムの上側の面に設けられた不織布との積層体からなっている。
第９図（Ｂ）においては、サーフェスシート１０が、単層の合成樹脂フィルムからなり、前記合成樹脂フィルムが流路１６を構成する凹凸を有し、サーフェスシート１０の上側の面に、液透過性の不織布からなるスキンコンタクトシート２８が積層されている。
第９図（Ｃ）においては、サーフェスシート１０が、単層の合成樹脂フィルムからなり、サーフェスシート１０の上側の面に、流路１６を有する液透過性のガイドシート２２が積層されている。
第９図（Ｄ）においては、第９図（Ｃ）に示されるガイドシート２２の上側の面に、更に、液透過性の不織布からなるスキンコンタクトシート２８が積層されている。
第９図（Ｅ）においては、サーフェスシート１０が、単層の合成樹脂フィルムからなり、サーフェスシート１０の上側の面に、多数の開口２６を有し、更に流路１６を有する液透過性のガイドシート２２が積層されている。サーフェスシート１０とガイドシート２２とは、結合部２２ａにより一体化されている。
第１０図は、本発明の吸収体製品の例の一部を示す模式的な横断面図である。第１０図においては、説明の便宜上、サーフェスシート１０と吸収体１４とガイドシート２２のみを示している。
第１０図（Ａ）においては、サーフェスシート１０が吸収体１４の上面から左右の端部まで覆い、ガイドシート２２が吸収体１４の上面から左右の端部まで覆い、更に下面の一部まで覆っている。
第１０図（Ｂ）においては、サーフェスシート１０が吸収体１４の上面を覆い、ガイドシート２２が吸収体１４の上面から左右の端部まで覆っている。
第１０図（Ｃ）においては、サーフェスシート１０が吸収体１４の上面を覆い、ガイドシート２２が吸収体１４の下面から左右の端部まで覆い、更に上面の一部まで覆っている。
第１０図（Ａ）〜（Ｃ）に示すように、ガイドシート２２が、吸収体１４の側面の少なくとも一部を、直接にまたはサーフェスシート１０の上から、覆っていると、排出液の拡散がより速くなる。
第１１図は、本発明の吸収体製品の例の一部を示す模式的な上面図である。第１１図においては、説明の便宜上、サーフェスシート１０と吸収体１４とガイドシート２２のみを示している。
第１１図（Ａ）においては、サーフェスシート１０が、吸収体１４の上面の左右方向の一部を前後方向の全体に覆っており、吸収体１４の上面の一部がサーフェスシート１０の左右端部において露出している。そして、ガイドシート２２が、サーフェスシート１０の上面の前後方向の一部を左右方向の全体に覆っており、吸収体１４の上面の一部およびサーフェスシート１０の上面の一部が露出している。
第１１図（Ｂ）においては、サーフェスシート１０と吸収体１４の配置は第１１図（Ａ）の場合と同様であるが、ガイドシート２２の形状が十字形であるため、吸収体１４の上面の一部およびサーフェスシート１０の上面の一部の露出の状態が異なっている。
本発明に用いられるバックシート１２は、液不透過性である。バックシート１２は、液不透過性であれば材料、構成等を特に限定されず、従来公知の吸収体製品に用いられているバックシートと同様のものを用いることができる。例えば、単層の合成樹脂フィルム、合成樹脂フィルムとその下側の面に設けられた不織布との積層体が好適に挙げられる。
合成樹脂フィルムとしては、例えば、マット加工されたＰＥフィルム、多孔質加工された通気性フィルムが挙げられる。通気性フィルムとは、合成樹脂フィルムをフィラーの添加、ポリマーブレンド等により多孔質化したものであって、ＭＶＴＲ（Ｍｏｉｓｔｕｒｅ  Ｖａｐｏｒ  Ｔｒａｎｓｍｉｓｓｉｏｎ  Ｒａｔｅ）が１０００〜６０００Ｌ／（ｍ２・２４ｈｒ）程度を示すものである。通気性フィルムの代表的なものとしては、ＰＥ樹脂にＣａＣＯ３をフィラーとして加えたエスポワール（三井化学社製）、ポーラム（トクヤマ社製）が挙げられる。
本発明においては、バックシートが単層の合成樹脂フィルムからなる場合、その合成樹脂フィルムが、通気性を有するのが好ましく、また、バックシートが合成樹脂フィルムとその下側の面に設けられた不織布との積層体からなる場合、その合成樹脂フィルムおよび不織布が、いずれも通気性を有するのが好ましい。これらのようにしてバックシートに通気性をもたせると、着用感が向上する。また、バックシートの一部または全部に伸縮性を有する複合シート（例えば、特開平１０−１９５７４６号公報に記載されているもの）を用いることによって、更にフィット感等を向上させることができる。
本発明においては、バックシートを構成する合成樹脂フィルムが、上側の面に液のトラップ部を構成する凹凸を有するのが好ましい。本発明においては、排出液の吸収が吸収体の下側から上側へと行われるため、バックシートに凹凸を設けることにより、排出液が吸収体の下側の全体に均一に分散するようになる。
凹凸を有する形状としては、例えば、多数の突起を有する形状、Ｖ字溝、Ｕ字溝等の溝を有する形状、うろこ状に重なり合った瓦状（ｉｍｂｒｉｃａｔｅ）、畝状が挙げられる。
第１２図は、本発明に用いられるバックシートの例の模式的な上面図である。第１２図（Ａ）のバックシート１２は、凹部を形成する多数の溝３０を有している。第１２図（Ｂ）のバックシート１２は、凸部を形成する多数の突起３２を有している。
バックシートとして、具体的には、凹凸加工フィルム（例えば、本発明者らが提案した特願２００１−１３５２３９号明細書に記載されているもの）；バックシートを構成する合成樹脂フィルムが、凹凸を有し、かつ、凸部の一部または全部に開口を有し、バックシートを構成する前記不織布が、１層以上のスパンボンド不織布と１層以上のメルトブローン不織布とを含む２層以上からなる耐水性の積層体であるのも好ましい態様の一つである。
このような積層体としては、本発明者らが特願２００１−１２４２３７号明細書において提案した、凹凸開孔フィルムと耐水性のＳＭＳ不織布（スパンボンド／メルトブローン／スパンボンドの３層構造の不織布）との積層体が好適に挙げられる。
サーフェスシート１０と吸収体１４とバックシート１２の位置関係について説明する。
上述したように、バックシート１２は、吸収体１４の下側に位置するものであり、特に限定されないが、具体的には、例えば、以下のような関係とすることができる。
第１３図は、本発明の吸収体製品の例の一部を示す模式的な横断面図である。第１３図においては、説明の便宜上、サーフェスシート１０と吸収体１４とバックシート１２とガイドシート２２のみを示している。
第１３図（Ａ）においては、バックシート１２は、サーフェスシート１０により上面を覆われた吸収体１４の下面および左右の両側面を覆っている。
第１３図（Ｂ）においては、バックシート１２は、サーフェスシート１０により上面を覆われ、かつ、ガイドシート２２により上面、左右の両側面および下面の一部を覆われた吸収体１４の下面および左右の両側面を覆っている。
第１４図は、本発明の吸収体製品の例の一部を示す模式的な上面図である。第１４図においては、説明の便宜上、サーフェスシート１０と吸収体１４とバックシート１２のみを示している。
第１４図においては、吸収体１４の上面の一部をサーフェスシート１０が覆っており、吸収体１４およびサーフェスシート１０の下面の全体をバックシート１２が覆っている。
本発明に用いられる吸収体としては、従来公知の吸収体を用いることができる。具体的には、例えば、現在市販されている吸収体製品に用いられているような、ＳＡＰとフラッフ状パルプとの混合物を、ティッシュペーパー、スパンボンド不織布、開口フィルム等の液透過性のコアラッピングシートで被覆してなる吸収体が挙げられる。
また、例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤（例えば、熱融着繊維）を添加してシート状に成形して熱処理等により高吸水性シートを得る方法である。この方法で得られる高吸水性シートとしては、例えば、米国レオニヤ（Ｒａｙｏｎｉｅｒ）社製のＮｏｖａＴｈｉｎ（米国登録商標）、王子キノクロス社製のキノクロス（登録商標）が知られている。
また、ＳＡＰを分散スラリー等にして液透過性の不織布等の排出液透過性シートの少なくとも一方の面の上にコーティング法により担持させてなる高吸水性シートも挙げられる。この高吸水性シートについては、具体的には、本発明者らが提案した、特開平１０−１６８２３０号、特開平１０−３１４２１７号および特開２０００−２０１９７５号の各明細書等に記載されている。ここで、ＳＡＰの分散スラリーは、ＳＡＰと超微細セルロース繊維（ＭＦＣ：Ｍｉｃｒｏ  ｆｉｂｒｉｌｌａｔｅｄ  Ｃｅｌｌｕｌｏｓｅ）とを、水とエタノールとの混合溶媒に分散させたものであるのが好ましい。この方法で得られる高吸水性シートとしては、例えば、（株）日本吸収体技術研究所製のメガシン（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート；２層の液透過性の不織布とその間に挟持されたＳＡＰとを有する高吸水性シートが挙げられる。
これらの高吸水性シートの厚さは、１．５ｍｍ以下であるのが好ましく、１ｍｍ以下であるのがより好ましい。
上述した吸収体は、ＳＡＰの含有量が５０質量％以上であるのが好ましく、６０〜９５質量％であるのがより好ましい。
本発明の吸収体製品は、後述するように吸収体を複数個有していてもよいが、吸収体として上述したＳＡＰとフラッフ状パルプとの混合物を用いる場合には嵩が大きく、吸収容量（ｃａｐａｃｉｔｙ）が大きい一方で、保持量（ｒｅｔｅｎｔｉｏｎ）が相対的に小さいため、通常、単層で用いる。そのような吸収体を用いる従来の吸収体製品はリウェット量が多かったが、本発明においては、液不透過性のサーフェスシートを用いるので、リウェット量を従来の数十分の１まで減少させることができる。
一方、上述した高吸水性シートを用いる場合には、高吸水性シートが極めて薄く、吸収容量に比べて保持量が高いうえ、吸い上げ力（ｄｅｍａｎｄ  ｗｅｔｔ  ａｂｉｌｉｔｙ）が大きいため、例えば、本発明者が特開２００２−１１３８００号公報において提案したように、複数個の吸収体で多層に構成して、下側の層から順次、排出液を吸収させるのが好ましい態様の一つである。
つぎに、本発明の吸収体製品の実施態様について説明する。
本発明の吸収体製品は、例えば、子供用および大人用のテープタイプオムツおよびプルオンタイプ（パンツ型）オムツ、女性用ナプキン、失禁用品等の従来の吸収体製品を用いて容易に得ることができる。即ち、従来の吸収体製品のトップシートと吸収体との間にサーフェスシート、好ましくはガイドシートと組み合わせたサーフェスシートを挿入することによって、大幅に機能が向上した本発明の吸収体製品とすることができる。
本発明の吸収体製品の好ましい実施態様の一つとして、着用時に着用者の対象部位が入る内部空間を形成しうる吸収体製品本体と、前記吸収体製品本体に隣接して前記内部空間に連通し、かつ、前記バックシートを内面に有する吸収体ユニット収納部と、前記吸収体ユニット収納部に着脱自在に収納される、少なくとも前記サーフェスシートと前記吸収体とが組み合わされて構成される吸収体ユニットとを具備する吸収体製品が挙げられる。
第１５図は、上記吸収体製品の一部の例を示す模式的な横断面図である。
第１５図（Ａ）に示される吸収体製品５０は、着用時に着用者の対象部位が入る内部空間を形成しうる吸収体製品本体５２と、吸収体製品本体５２に隣接して前記内部空間に連通し、かつ、バックシート１２を内面に有する吸収体ユニット収納部５４と、吸収体ユニット収納部５４に着脱自在に収納される、サーフェスシート１０と吸収体１４とが組み合わされて構成される吸収体ユニット５６とを具備する。なお、吸収体製品本体５２は、一部のみ示されており、図中上側が上記内部空間である。サーフェスシート１０、バックシート１２および吸収体１４については、上述したとおりである。
第１５図（Ａ）においては、吸収体製品本体５２を構成する部材が吸収体ユニット収納部５４を構成しており、吸収体ユニット収納部５４の内側に別部材で構成されるバックシート１２が設けられているが、本発明においては、吸収体ユニット収納部がバックシートを内面に有するのであればよく、例えば、バックシートを構成する部材自体が吸収体ユニット収納部を構成していてもよい。
吸収体製品本体５２としては、従来公知のオムツカバー等の複数回使用することができる耐洗濯性の材料から構成されている吸収体製品の本体を用いることができる。吸収体製品本体５２が、平編み、例えば、メリヤス編みのニット製品であると、着用時のフィット性が良好になるので好ましい。
第１５図に示されるバックシート１２の左右の両端には、サイドギャザー部材５８が設けられている。サイドギャザー部材５８は、ポリウレタンフィラメント束、弾性フィルム等の従来公知の構成とすることができる。
第１５図（Ｂ）に示される吸収体製品５１は、図示されるようにガイドシート２２を具備する以外は、吸収体製品５０と同様である。
第１５図（Ａ）および（Ｂ）に示される本発明の吸収体製品５０および５１は、いずれも吸収体製品本体５２と吸収体ユニット収納部５４とが直接連通している（即ち、サーフェスシート１０またはガイドシート２２が露出している）が、両者の間の少なくとも一部に、上述した液透過性のスキンコンタクトシートを具備していてもよい。
また、第１５図においては、吸収体ユニット収納部５４に、１個の吸収体ユニットが収納されているが、本発明においては、後述するように、積層された複数個の吸収体ユニットが収納されていてもよい。
また、本発明の吸収体製品の好ましい実施態様の一つとして、着用時に着用者の対象部位が入る内部空間を形成しうる吸収体製品本体と、前記吸収体製品本体に隣接して前記内部空間に連通し、かつ、前記バックシートを内面に有する吸収体収納部と、前記吸収体収納部に着脱自在に収納される吸収体とを具備し、前記吸収体製品本体と前記吸収体収納部との間の少なくとも一部に前記サーフェスシートを具備する吸収体製品も挙げられる。
第１６図は、上記吸収体製品の一部の例を示す模式的な上面図である。
第１６図に示される吸収体製品６０は、着用時に着用者の対象部位が入る内部空間を形成しうる吸収体製品本体５２と、吸収体製品本体５２に隣接して前記内部空間に連通し、かつ、バックシート（図示せず）を内面に有する吸収体収納部５５と、吸収体収納部５５に着脱自在に収納される吸収体１４とを具備し、吸収体１４をその上面から被覆するように吸収体収納部５５に取り付けられたサーフェスシート１０を具備する。なお、吸収体製品本体５２は、一部のみ示されており、図中上側が上記内部空間である。サーフェスシート１０、バックシートおよび吸収体１４については、上述したとおりである。
本発明においては、吸収体収納部がバックシートを内面に有するのであればよく、例えば、吸収体製品本体を構成する部材が吸収体収納部５５を構成し、吸収体収納部の内側にバックシートが別部材で構成されていてもよく、バックシートを構成する部材自体が吸収体収納部を構成していてもよい。
第１７図は、バックシートを構成する部材自体が吸収体収納部を構成する場合のバックシートの形状の好適な適用例の模式的な上面図である。このような構成とする場合は、バックシートとして、例えば、ゴアテックス等の耐久性のある耐水性材料を用いるのが好ましい。
第１７図（Ａ）〜（Ｅ）のバックシート１２は、いずれも凸部を形成する多数の線状の突起３２を有している。第１７図（Ｆ）のバックシート１２は、凹部を形成する多数の線状の溝３０を有している。例えば、キルティングされた布地を用いることができる。第１７図（Ｇ）のバックシート１２は、凸部を形成する多数の点状の突起３２を有している。
吸収体製品本体５２およびサイドギャザー部材５８については、第１５図に示される吸収体製品５０と同様である。
また、吸収体収納部の内側にバックシートが別部材で構成されている場合においても、吸収体収納部を構成する部材の形状に凹凸を設けることにより、それと積層されるバックシートに凹凸の影響を生じさせて、バックシートに凹凸を設けたのと同様の効果を得ることができる。
吸収体製品６０において、サーフェスシート１０の上側の面に、上述したガイドシートが積層されているのは、本発明の好ましい態様の一つである。この態様においては、ガイドシートがサーフェスシートの上側から覆うように積層されていてもよいが、ガイドシートが吸収体の下側からその側面をくるむようにサーフェスシートに積層されていてもよい。
また、吸収体製品６０は、吸収体製品５０および５１と同様に、液透過性のスキンコンタクトシートを具備していてもよい。
また、吸収体製品６０においては、後述するように、積層された複数個の吸収体１４が収納されていてもよい。
本発明の吸収体製品においては、上述したように、積層された複数個の吸収体ユニットまたは吸収体を具備するのが好ましい態様の一つである。特に、ＳＡＰの含有量が多く、薄くてコンパクトな吸収体、例えば、上述した高吸水性シートを用いる場合には、好適である。
積層する吸収体ユニットまたは吸収体の数は、２層以上であれば特に限定されないが、５層以下であるのが好ましい。５層以下であると、嵩高になりすぎず、コンパクトな吸収体製品とすることができる。
第１８図（Ａ）および（Ｂ）は、それぞれ積層された複数個の吸収体ユニットおよび積層された複数個の吸収体の例を示す模式的な横断面図である。第１８図（Ａ）においては、３層に積層された吸収体ユニット５６が示されている。第１８図（Ｂ）においては、３層に積層された吸収体１４が示されている。
第１８図（Ｃ）は、積層された複数個の吸収体ユニットを具備する本発明の吸収体製品の一部の例を示す模式的な横断面図である。第１８図に示される吸収体製品７０は、第１５図（Ａ）に示される吸収体製品５０において、１層であった吸収体ユニット５６を、第１８図（Ａ）に示されるように３層積層して用いたものである。
本発明の吸収体製品を多層化して用いる場合、多層化された層の数に応じた複数回の使用が可能となり、吸収体製品の交換の回数を、例えば、従来、１日あたり３〜５回であったものを１〜２回程度に減らすことができる。以下、複数回の使用が可能となる理由について説明する。
本発明の吸収体製品においては、上述したように、排出液は吸収体に主に下側から吸収され、その後、上側に拡散していく。排出液の大部分は、最も下側の吸収体に吸収される。そして、排出液は、最も下側の吸収体に吸収容量の限界またはその近くまで吸収された後、下から２番目の吸収体に吸収されていく。このようにして、最も上側の吸収体の吸収容量の限界に至るまで、排出液の下から上へと吸収が進行していく。したがって、吸収容量の限界まで排出液を吸収した吸収体を適宜個別に離脱させることにより、複数回の使用が可能となる。このようにすると、着用者の感じる嵩張り感や重量感をなくすことができるだけでなく、排出液を吸収した吸収体の重さによる圧力で吸収容量が低下することも防止することができる。
これに対して、仮に従来の液透過性のトップシートを用いた吸収体製品を多層化したとすると、上から下へと吸収が進むが、排出液が上側の吸収体の吸収容量の限界まで吸収される前に、その下側の吸収体への吸収が始まる。よって、すべての吸収体に、特に、その排出液を供給される上面からみて中央の部分に、排出液が吸収される。このように使用の初期からすべての吸収体が少しずつ膨潤し、個々の吸収体には排出液が全体に行き渡らないため、吸収体を個別に離脱させると利用効率が極めて悪くなってしまうので、個別に離脱させることができず、重くなってしまう。したがって、従来の吸収体製品の多層化は、現実的ではない。
また、本発明の吸収体製品においては、複数個の吸収体を用いた場合であっても、吸収体が１層の場合と同様に、リウェット量が極めて少なく、最も上側の吸収体の上面は、使用の開始から終了の直前まで、使用前と同様に乾いたままである。したがって、着用感が優れる。
使用された吸収体を離脱させる構造としては、特に限定されず、例えば、前記吸収体ユニット収納部または前記吸収体収納部に、開口部、好ましくは外部空間に開口している開口部を設けた構造が挙げられる。そのような構造としては、本発明者らが特願２００２−２３３２０９号明細書において提案した構造を好適に用いることができる。
中でも、取出用部材が設けられている構造が好ましい。この取出用部材の好ましい例としては、実開平７−１２１１７号公報に記載されているものが挙げられる。
第１９図は、取出用部材を有する本発明の吸収体製品の一例を示す説明図である。第１９図（Ａ）および（Ｂ）は、それぞれ吸収体の上面図および縦断面図であり、第１９図（Ｃ）は、前記吸収体を有する吸収体製品の縦断面図である。第１９図（Ｂ）および（Ｃ）においては、図の左側が吸収体製品の前側、図の右側が吸収体製品の後側である。なお、第１９図（Ａ）〜（Ｃ）においては、バックシートを図示していない。また、Ｍは着用者の身体を示す。
第１９図に示される吸収体製品８０は、吸収体１４の前端部の上部にテープ状の取出用部材６２を有している。取出用部材６２は、下面に粘着剤層６４を有しているのが好ましい。その場合、粘着剤層６４に対応する部分にはく離層６６を有していて、吸収体製品８０に組み込まれる前は、粘着剤層６４の表面にはく離層６６が密着しているのが好ましい。吸収体製品８０の吸収体ユニット収納部５４に収納された吸収体１４においては、取出用部材６２が吸収体ユニット収納部５４の開口部から外側に出て吸収体製品本体５２の側へと延在しており、取出用部材６２は粘着剤層６４により吸収体製品本体５２に固定されている。最下層の吸収体１４が吸収容量の限界まで排出液を吸収した後、取出用部材６２を引っ張って最下層の吸収体１４を容易に離脱させることができる。
本発明の吸収体製品は、サーフェスシート、バックシートおよび吸収体以外に、ガゼットギャザー、立体状サイドギャザー、ウエストギャザー、ファスニング機構（テープ、ベルクロ等）、廃棄時に用いられるラッピングテープ機構等の部材を具備することができる。これらについては、従来公知のものを用いることができる。
本発明の吸収体製品は、子供用オムツ、大人用オムツ、女性用生理用品等として好適に用いられる。
本発明の吸収体製品をオムツとして用いる場合、尿処理専用としてもよく、尿・便処理兼用としてもよい。尿・便処理兼用とするときには、中央部から前身頃までの尿処理部と、中央部から後見頃までの便処理部とを設け、前記サーフェスシートを前記尿処理部のみに存在させるのが好ましい。
第２０図は、本発明の吸収体製品の一部の例を模式的に示す上面図である。第２０図（Ａ）〜（Ｄ）においては、図の上が吸収体製品の前側、図の下が吸収体製品の後側である。
第２０図（Ａ）〜（Ｄ）のいずれにおいても、サーフェスシート１０は、吸収体１４の前側の尿処理部のみに存在し、後側の便処理部には存在していない。
この吸収体の前側と後側で異なっている構造およびその製造方法については、本発明者らが提案した特開平６−３４３６６０号公報に記載されている技術を利用するのが好ましい態様の一つである。このような構造とする場合には、レッグギャザー等も前側のみにつけることができる。
また、尿と便との混合は、臭いおよびかぶれが発生する原因の一つである。したがって、尿と便とを分離する手段、例えば、特開平７−２９９０９２号公報等に記載されている尿便セパレーターを本発明の吸収体製品に応用することもできる。
第２１図は、本発明の吸収体製品の一部の例を模式的に示す縦断面図である。第２１図においては、図の左側が吸収体製品の前側、図の右側が吸収体製品の後側である。
第２１図において、サーフェスシート１０は、吸収体１４の前側の尿処理部３４のみに存在し、後側の便処理部３６には存在していない。サーフェスシート１０は、吸収体１４の尿処理部３４と便処理部３６との境界付近においてガイドシート２２の上に折り返されており、尿処理部３４において排出された排出液（尿）が便処理部３６に移動しないように、折り返し部分に尿を一時的に貯留することができるようになっている。
この尿処理部と便処理部とを有する吸収体製品においては、少なくとも前記便処理部において、液不透過性または耐水性の尿逆流防止シートを前記吸収体の内部および／または上面に具備するのが好ましい。
第２２図は、本発明の吸収体製品の一部の例を模式的に示す縦断面図である。第２２図においては、図の左側が吸収体製品の前側、図の右側が吸収体製品の後側である。
第２２図に示される本発明の吸収体製品は、便処理部３６において、液不透過性または耐水性の尿逆流防止シート３８を吸収体１４の内部に具備する。この尿逆流防止シート３８について説明する。
第２１図に示されるような尿逆流防止シート３８を具備しない吸収体製品の場合は、サーフェスシート１０により尿が、尿処理部３４から便処理部３６へと吸収体１４の上側を移動することを防止することができるが、吸収体１４の下側から吸収された尿が吸収体１４の上側へと浸透し、便処理部３６の上側の表面に達してしまうことがある。即ち、尿が逆流してしまうことがある。そうすると、尿と便とを分離する効果がなくなり、臀部の汚れやオムツかぶれを助長するなどの問題が生じうる。
これに対して、第２２図に示されるような尿逆流防止シート３８を具備する吸収体製品の場合は、サーフェスシート１０により尿が、尿処理部３４から便処理部３６へと吸収体１４の上側を移動することを防止するとともに、吸収体１４の下側から吸収された尿が吸収体１４の上側へと浸透しても、吸収体１４の内部に液不透過性または耐水性の尿逆流防止シート３８を有するため、便処理部３６の上側の表面に達することを防止することができる。即ち、尿の逆流を防止することができる。これにより上記問題が生じることがないので好ましい。
尿逆流防止シート３８は、液不透過性または耐水性であれば材料、構成等を特に限定されず、上述したサーフェスシート１０およびバックシート１２と同様のフィルムや、耐水性不織布を用いることができる。本明細書において、「耐水性」とは、圧力１００ｍｍＨ２Ｏ（９．８０７×１０２Ｐａ）以下で水を透過させない性質をいう。耐水性不織布は、圧力２００ｍｍＨ２Ｏ（１．９６１×１０３Ｐａ）以下の耐水性を有するのが好ましい。
尿逆流防止シート３８は、吸収体１４の前後方向において、図２２に示されるように、少なくとも便処理部３６を覆うように存在するのが好ましい。また、吸収体１４の左右方向においても、尿が吸収体１４の上側の表面に達しないように、便処理部３６を覆っているのが好ましい。
尿逆流防止シート３８は、第２２図においては吸収体１４の内部に存在しているが、便処理部３６の表面に存在していてもよく、両方に存在していてもよい。また、複数枚存在していてもよい。尿逆流防止シート３８を吸収体１４の内部に存在させる方法は特に限定されず、例えば、吸収体１４が高吸水性シートを複数枚積層したものであれば、その高吸水性シートの間に挟持させればよい。
上述したように、本発明の吸収体製品は、サーフェスシートに供給された排出液の一部または全部が下側に移動する点で、従来の吸収体製品と大きく異なる。この点につき更に詳しく説明する。
第２３図は、排出液が吸収体製品に供給された際の挙動を説明するための横断面図である。第２３図においては、吸収体１４とその左右方向の全面を覆うシート（従来の吸収体製品においては液透過性のトップシート１１であり、本発明の吸収体製品においては液不透過性のサーフェスシート１０である。）のみが示されている。
シート１０または１１に供給される排出液の全量をＱとし、側面または下面から吸収される排出液の量の合計をＱ１、上面から吸収される排出液の量の合計をＱ２とする（ただし、Ｑ＝Ｑ１＋Ｑ２である。）。
従来の吸収体製品においては、トップシート１１に供給された排出液は、ほぼ全量がトップシート１１を通過して吸収体１４に吸収されるため、通常、Ｑ１が約１〜１０％、Ｑ２が約９９〜９０％となり、Ｑ１／Ｑ２が約０．０１〜０．１となる。
これに対して、吸収体１４の上面の全体をサーフェスシート１０で覆う態様の本発明の吸収体製品（例えば、第７図（Ａ）および（Ｂ）で示される各吸収体製品）においては、サーフェスシート１０に供給された排出液は、ほぼ全量がサーフェスシート１０の上面を移動してサーフェスシート１０の端部から吸収体１４の下側へと移動するため、通常、Ｑ１が約９０〜９９％、Ｑ２が約１０〜１％となり、Ｑ１／Ｑ２が約９〜９９となる。
また、吸収体１４の上面の一部をサーフェスシート１０で覆う態様の本発明の吸収体製品（例えば、第７図（Ｃ）〜（Ｇ）で示される各吸収体製品）においては、サーフェスシート１０に供給された排出液は、一部がサーフェスシート１０の上面を移動してサーフェスシート１０の端部から吸収体１４の下側へと移動し、残りが露出した吸収体１４の上面から直接吸収されるため、設計にもよるが、例えば、Ｑ１が約５０〜７０％、Ｑ２が約５０〜３０％となり、Ｑ１／Ｑ２が約１．０〜２．５となる。
以上に説明したように、本発明の吸収体製品は、排出液の吸収機構が従来の吸収体製品と大きく異なり、その結果、吸収速度の経時的な変化の抑制およびリウェット量の低下を実現したものである。
以下、実施例により、本発明の効果が更に具体的に説明される。
【実施例】１．吸収体製品の吸収速度およびリウェット量
（１）吸収体製品の作成
【実施例１】  市販のオムツである花王社製のメリーズから、吸収体をトップシートが接着した状態で取り出した。
第２４図に示すように、取り出した吸収体１４の上下を反転させ、市販オムツに用いられているバックシート用通気性ＰＥフィルム（トクヤマ社製、厚さ２０μｍ）で覆って、液不透過性のサーフェスシート１０として機能するようにした。
この吸収体１４の上面、側面および下面の一部を多数の孔を有するＰＥフィルム（商品名「Ｔ１０６５０−１  ＴＥＣ」、Ｔｒｅｄｅｇｅｒ社製）で覆って、ガイドシート２２とした。
更に、市販オムツに用いられているバックシート用通気性ＰＥフィルム（トクヤマ社製、厚さ２０μｍ）で覆って、液不透過性のバックシート１２として、吸収体製品９０を得た。
【実施例２】  市販のオムツとして、ユニチャーム社製のマミーポココットンを用いた以外は、実施例１と同様の方法により、吸収体製品９０を得た。
【実施例３】  市販のオムツの代わりに、日本吸収体技術研究所社製の吸収体（高吸水性シート）であるメガシンを用いた試作品のオムツを用いた以外は、実施例１と同様の方法により、吸収体製品９０を得た。
なお、後述する吸収容量およびリウェット量の測定には、比較例１〜３として、花王社製のメリーズ、ユニチャーム社製のマミーポココットンおよび日本吸収体技術研究所社製の吸収体であるメガシンを用いた試作品のオムツを、それぞれそのまま用いた。
（２）吸収容量の測定
実施例１〜３で用いた２種の市販のオムツおよび１種の試作品のオムツの各吸収体について、以下のようにして吸収容量を測定した。
あらかじめ質量を測定したオムツを０．９質量％塩化ナトリウム水溶液に３０分間浸せきさせた。その後、オムツを引き上げ、引き上げた状態で３０秒間維持し、水切りを行った。オムツのトップシートが下側になるように、水切り用金網の上に載置し、吸収体の全体に荷重が掛かるように、アクリル板を載せ、更にその上におもり（１０ｋｇ）を置いて２０分間放置し、水切りを行った。その後、質量を測定し、質量の増加分を吸収容量とした（塩化ナトリウム水溶液の比重は１と考えた。）。測定は、ｎ＝２で行った。
吸収容量は、花王社製のメリーズが７０７ｍＬ、ユニチャーム社製のマミーポココットンが６０６ｍＬ、日本吸収体技術研究所社製の吸収体であるメガシンを用いた試作品のオムツが７５６ｍＬであった。
（３）吸収速度の測定
実施例１〜３および比較例１〜３の吸収体製品について、以下のようにして、吸収速度の測定を行った。
第２５図に示すように、内径２．０ｃｍの円筒状の給液部を有し、前記給液部の周囲に配置されたおもり９４を有する給液板（大きさ７．５ｃｍ×１０ｃｍ、プラスチック製）９２を、吸収体製品９０の上面の中央に載置し、０．１ｐｓｉ（６．８９５×１０２Ｐａ）の荷重をかけた。なお、第２５図（Ａ）は、斜視図であり、第２５図（Ｂ）は縦断面図である。
給液部に１００ｍＬの０．９質量％塩化ナトリウム水溶液を給液し、給液部の内部に塩化ナトリウム水溶液がなくなったと目視で認められるまでの時間を測定した。この操作を給液開始時を基準として１０分間間隔で繰り返し、計３回行った。
結果を第１表に示す。
2004052257.tif 000003
第１表から明らかなように、本発明の吸収体製品（実施例１〜３）は、従来の吸収体製品（比較例１〜３）に比べて、格段に吸収速度が速く、かつ、吸収速度が経時的にほとんど変わらなかった。特に、吸収体としてＳＡＰとフラッフ状パルプとの混合物を用いている場合、従来、吸収速度が遅く、また、吸収速度の経時的変化が大きかったが（比較例１および２）、本発明の吸収体製品（実施例１および２）では顕著に改善されていた。
（４）リウェット量の測定
（ａ）給液量１００ｍＬごとのリウェット量
実施例１および３ならびに比較例１および３の吸収体製品について、以下のようにして、給液量１００ｍＬごとのリウェット量の測定を行った。
無荷重下で、吸収体製品の上面の中央に、上方１０ｍｍの位置からビューレットを用いて、１００ｍＬの０．９質量％塩化ナトリウム水溶液を１３ｍＬ／ｓｅｃの割合で、滴下した。滴下開始から５分経過した後、あらかじめ質量を測定しておいたろ紙を、中心を滴下位置に合わせて置き、その上におもりを載置し、０．１ｐｓｉ（６．８９５×１０２Ｐａ）の荷重をかけた。３分後、おもりを取り除いて、ろ紙の質量を測定し、給液量１００ｍＬごとのリウェット量とした。この操作を滴下開始時を基準として１０分間隔で繰り返し、計７回行った。
結果を第２表に示す。
2004052257.tif 000004
（ｂ）吸収容量の１／２給液時（５０％給液時）のリウェット量
実施例１〜３および比較例１〜３の吸収体製品について、以下のようにして、吸収容量の１／２給液時のリウェット量の測定を行った。
無荷重下で、吸収体製品の上面の中央に、上方１０ｍｍの位置からビューレットを用いて、１００ｍＬの０．９質量％塩化ナトリウム水溶液を１３ｍＬ／ｓｅｃの割合で、滴下した。滴下開始時を基準として滴下を５分間隔で、吸収容量の１／２（実施例１および３ならびに比較例１および３については３５０ｍＬ、実施例２および比較例２については３００ｍＬとした。）の量を滴下するまで繰り返し行った。なお、吸収容量の１／２が３５０ｍＬである場合は、４回目の塩化ナトリウム水溶液の滴下量を５０ｍＬとした。最後の滴下開始から５分経過した後、あらかじめ質量を測定しておいたろ紙を、中心を滴下位置に合わせて置き、その上におもりを載置し、０．１ｐｓｉ（６．８９５×１０２Ｐａ）の荷重をかけた。３分後、おもりを取り除いて、ろ紙の質量を測定し、吸収容量の１／２給液時のリウェット量とした。
このようにしてリウェット量の測定を３回行い、平均値を算出した。
また、荷重が０．５ｐｓｉ（３．４４８×１０３Ｐａ）となるようにおもりを代えて、同様の方法で吸収容量の１／２給液時のリウェット量を３回測定し、平均値を算出した。
結果を第３表に示す。
2004052257.tif 000005
第２表および第３表から明らかなように、本発明の吸収体製品（実施例１〜３）は、従来の吸収体製品（比較例１〜３）に比べて、格段にリウェット量が少なく、かつ、リウェット量の経時的な変化もほとんどなかった。
２．複数個の吸収体ユニットを具備する吸収体製品の性状
（１）吸収体製品の作成
（実施例４ならびに比較例４および５）
第２６図に示される複数個の吸収体ユニットを具備する吸収体製品１００を作成した。吸収体製品本体５２としては、縫製されたメリヤス製の女性用ショーツ（グンゼ社製）に防漏バックシートを持つ吸収体収納部を取り付けたものを用いた。第２６図（Ａ）は正面図であり、第２６図（Ｂ）は上面図である。第２６図（Ａ）においては、手前が吸収体製品の前側である。
吸収体製品本体５２の吸収体ユニット収納部５４には、第２７図に示される各吸収体ユニット３個を積層して得られた、第２８図に示される積層体を収納させて、吸収体製品１００を得た。第２７図および第２８図は、いずれも横断面図である。
実施例４に用いた吸収体ユニットは、第２７図（Ａ）に示されるように、一方の面にＳＡＰ層１０２を有する高吸水性シートを、その面が内側になるように二つ折りにした吸収体１４の上面、側面および下面の一部を液不透過性のサーフェスシート１０で覆ったものである。
比較例４に用いた吸収体ユニットは、第２７図（Ｂ）に示されるように、実施例４と同様の吸収体１４の下面、側面および上面の一部を液透過性のシート１０４で覆ったものである。
比較例５に用いた吸収体ユニットは、第２７図（Ｃ）に示されるように、実施例４の液不透過性のサーフェスシート１０の代わりに液透過性のシート１０４を用いたものである。
実施例４においては、第２７図（Ａ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。積層された３個の吸収体ユニットをその上面、側面および下面のほとんどをガイドシート２２で覆って用いた。
比較例４においては、第２７図（Ｂ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。
比較例５においては、第２７図（Ｃ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。
（２）吸収性試験
実施例４ならびに比較例４および５の吸収体製品を実際に着用者に着用させ、それぞれ立位で２回の排尿を行わせた。第１回の排尿の後、吸収体のうち所定の１層を除去して第２回の排尿を行わせた。各回の排尿の量は約２００ｍＬであった。各回における吸収体の各層の吸収量を測定し、利用率を算出した。
実施例４の第１回の排尿後の結果を第４表に示す。
2004052257.tif 000006
第４表に示されるように、最下層である第３層のみが尿を吸収しており、第１層および第２層は、尿を吸収していなかった。また、目視観察によれば、第３層では吸収が全面でほぼ均一に起こっている一方、第１層および第２層には、濡れた様子が観察されなかった。
第１回の排尿の後、吸収体の第３層を吸収体ユニット収納部から取り出した。この際、第１層および第２層は吸収体ユニット収納部においてガイドシートに覆われた状態で残っていた。即ち、吸収体の第３層の取り出しは、特に問題なく、容易に行うことができた。
実施例４の第２回の排尿後の結果を第５表に示す。
2004052257.tif 000007
第５表に示されるように、最下層である第２層がほぼ吸収容量の限界まで尿を吸収しており、第１層は、第２層で吸収されなかった分を吸収していた。
第２回の排尿の後、吸収体の第２層を取り出した。第２層の取り出しも、特に問題なく、容易に行うことができた。
比較例４の第１回の排尿後の結果を第６表に示す。
2004052257.tif 000008
第６表に示されるように、最上層である第１層が尿の約半分を吸収していたが、第２層および第３層も、尿を吸収していた。また、目視観察によれば、第１層では、前側の約１／５を残して全面で吸収していた。ただし、後側の吸収後の厚さが約１．５ｃｍと厚かったので、尿が一時的に吸収されずに貯留され、その後、徐々に吸収されたのだと推測された。第２層では、後側の約１／３の部分で厚さが約１ｃｍとなるまで吸収していたほか、前側でも第１層から浸透したと推測される部分があった。第３層では、後側の約１／３の部分で厚さが約１ｃｍとなるまで吸収していた。
第１回の排尿の後、吸収体の第１層を吸収体ユニット収納部から取り出した。この際、第１層のみを取り出すことはできず、第２層および第３層も一緒に出てきてしまったので、第１層を分離した後、第２層および第３層を吸収体ユニット収納部に戻した。即ち、吸収体の第１層の取り出しは、困難であった。
比較例４の第２回の排尿後の結果を第７表に示す。
2004052257.tif 000009
第７表に示されるように、最上層である第２層が尿の約２／３を吸収していたが、第３層も、尿を吸収していた。
第２回の排尿の後、吸収体の第２層を吸収体ユニット収納部から取り出したが。第２層の取り出しも、困難であった。
比較例５の第１回の排尿後の結果を第８表に示す。
2004052257.tif 000010
第８表に示されるように、第１層から第３層まで、ほぼ均一に吸収が起こっていた。したがって、いずれかの層を取り出して継続的に使用することが想定されにくいので、第２回の排尿は行わなかった。
なお、第４表〜第８表において、「設計吸収量」とは、各吸収体の０．５ｐｓｉ（３．４４８×１０３Ｐａ）の荷重下での０．９質量％塩化ナトリウム水溶液の吸収容量である。
以上の実施例から明らかなように、本発明の吸収体製品は、前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下、好ましくは２ｍＬ以下であるのが好ましい態様の一つである。
また、本発明の吸収体製品は、前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下であるのが好ましい態様の一つである。
３．尿逆流防止シートを具備する吸収体製品の性状
いずれも尿・便処理兼用である、第２１図に示される尿逆流防止シートを具備しない吸収体製品と、第２２図に示される尿逆流防止シートを具備する吸収体製品の便処理部におけるリウェット量を比較した。サーフェスシート１０、吸収体１４、ガイドシート２２および尿逆流防止シート３８の左右方向の幅は等しかった。
第２９図に示されるように、内径２．０ｃｍの円筒状の給液部を有し、前記給液部の周囲に配置されたおもり９４を有する給液板９２を、吸収体製品１４の尿処理部３４の上に置き、０．１ｐｓｉの荷重をかけた。一方、あらかじめ質量を測定しておいたろ紙９６を、吸収体製品１４の便処理部３６の上に置き、更にアクリル板９８を載せ、アクリル板９８の上におもり９９を載せて０．１ｐｓｉの荷重をかけた。
給液部に１００ｍＬの０．９質量％塩化ナトリウム水溶液を給液し、給液開始から３分経過した後に、ろ紙を外して質量を測定した。この操作を給液開始時を基準として１０分間間隔で繰り返し、計３回行った。
結果を第９表に示す。
2004052257.tif 000011
第９表に示されるように、尿・便処理兼用の吸収体製品において、尿逆流防止シートを具備する場合、便処理部におけるリウェット量が極めて少なかった。
【産業上の利用可能性】  本発明の吸収体製品は、体外排出液の吸収速度が経時的に大きく低下することがなく、かつ、リウェット量が極めて少ないので、子供用オムツ、大人用オムツ、女性用生理用品等として好適に用いられる。
【図１】
2004052257.tif 000012
【図２】
2004052257.tif 000013
【図３】
2004052257.tif 000014
【図４】
2004052257.tif 000015
【図５】
2004052257.tif 000016
【図６】
2004052257.tif 000017
【図７】
2004052257.tif 000018
【図８】
2004052257.tif 000019
【図９】
2004052257.tif 000020
【図１０】
2004052257.tif 000021
【図１１】
2004052257.tif 000022
【図１２】
2004052257.tif 000023
【図１３】
2004052257.tif 000024
【図１４】
2004052257.tif 000025
【図１５】
2004052257.tif 000026
【図１６】
2004052257.tif 000027
【図１７】
2004052257.tif 000028
【図１８】
2004052257.tif 000029
【図１９】
2004052257.tif 000030
【図２０】
2004052257.tif 000031
【図２１】
2004052257.tif 000032
【図２２】
2004052257.tif 000033
【図２３】
2004052257.tif 000034
【図２４】
2004052257.tif 000035
【図２５】
2004052257.tif 000036
【図２６】
2004052257.tif 000037
【図２７】
2004052257.tif 000038
【図２８】
2004052257.tif 000039
【図２９】
2004052257.tif 000040
【図３０】
2004052257.tif 000041
【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
上側に位置する液不透過性のサーフェスシートと、
下側に位置する液不透過性のバックシートと、
前記サーフェスシートと前記バックシートとの間に介在する、高吸水性樹脂を含有し排出液を吸収しうる吸収体と
を具備し、
前記サーフェスシートに供給された排出液の一部または全部を前記吸収体の前記バックシートの側に移動させるための流路を有する、吸収体製品。
【請求項２】
前記流路が、前記吸収体の前後両端部、左右両端部および中央部の少なくとも一つに設けられている請求項１に記載の吸収体製品。
【請求項３】
前記サーフェスシートが、単層の合成樹脂フィルムからなる請求項１または２に記載の吸収体製品。
【請求項４】
前記サーフェスシートが、合成樹脂フィルムと前記合成樹脂フィルムの上側の面に設けられた不織布との積層体からなる請求項１または２に記載の吸収体製品。
【請求項５】
前記合成樹脂フィルムが前記流路を構成する凹凸を有する請求項３または４に記載の吸収体製品。
【請求項６】
前記サーフェスシートが、前記吸収体の上側の面の一部が露出するように配置されている請求項１〜５のいずれかに記載の吸収体製品。
【請求項７】
前記サーフェスシートが、液透過性部を有する請求項１〜６のいずれかに記載の吸収体製品。
【請求項８】
前記サーフェスシートの上側の面の少なくとも一部に、前記流路を有する液透過性のガイドシートが積層されている請求項１〜７のいずれかに記載の吸収体製品。
【請求項９】
前記ガイドシートが、前記吸収体の側面の少なくとも一部を、直接にまたは前記サーフェスシートの上から、覆っている請求項８に記載の吸収体製品。
【請求項１０】
前記ガイドシートが、前記流路を構成する凹凸を有し、凸部の一部または全部に開口を有する請求項８または９に記載の吸収体製品。
【請求項１１】
前記サーフェスシートまたは前記ガイドシートの上側の面の少なくとも一部に、液透過性の不織布からなるスキンコンタクトシートが積層されている請求項１〜１０のいずれかに記載の吸収体製品。
【請求項１２】
前記バックシートが、合成樹脂フィルムからなる請求項１〜１１のいずれかに記載の吸収体製品。
【請求項１３】
前記バックシートを構成する前記合成樹脂フィルムが、通気性を有する請求項１２に記載の吸収体製品。
【請求項１４】
前記バックシートが、合成樹脂フィルムと前記合成樹脂フィルムの下側の面に設けられた不織布との積層体からなる請求項１〜１１のいずれかに記載の吸収体製品。
【請求項１５】
前記バックシートを構成する前記合成樹脂フィルムおよび前記不織布が、いずれも通気性を有する請求項１４に記載の吸収体製品。
【請求項１６】
前記バックシートを構成する前記合成樹脂フィルムが、凹凸を有し、かつ、凸部の一部または全部に開口を有し、前記バックシートを構成する前記不織布が、１層以上のスパンボンド不織布と１層以上のメルトブローン不織布とを含む２層以上の耐水性の積層体である請求項１４または１５に記載の吸収体製品。
【請求項１７】
前記バックシートを構成する前記合成樹脂フィルムが、上側の面に液のトラップ部を構成する凹凸を有する請求項１２〜１６のいずれかに記載の吸収体製品。
【請求項１８】
前記吸収体が、高吸水性樹脂とフラッフ状パルプとの混合物を、液透過性のコアラッピングシートで被覆してなる請求項１〜１７のいずれかに記載の吸収体製品。
【請求項１９】
前記吸収体が、２層の液透過性の不織布とその間に挟持された高吸水性樹脂とを有する請求項１〜１７のいずれかに記載の吸収体製品。
【請求項２０】
前記吸収体が、液透過性の不織布に高吸水性樹脂をコーティング法により担持させてなる請求項１〜１７のいずれかに記載の吸収体製品。
【請求項２１】
前記吸収体における前記高吸水性樹脂の含有量が５０質量％以上である請求項１〜２０のいずれかに記載の吸収体製品。
【請求項２２】
請求項１〜２１のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体ユニット収納部と、
前記吸収体ユニット収納部に着脱自在に収納される、少なくとも前記サーフェスシートと前記吸収体とが組み合わされて構成される吸収体ユニットと
を具備する吸収体製品。
【請求項２３】
前記吸収体製品本体と前記吸収体ユニット収納部との間の少なくとも一部に、前記ガイドシートを具備する請求項２２に記載の吸収体製品。
【請求項２４】
前記吸収体製品本体と前記吸収体ユニット収納部との間の少なくとも一部に、液透過性のスキンコンタクトシートを具備する請求項２２または２３に記載の吸収体製品。
【請求項２５】
前記吸収体ユニット収納部に、積層された複数個の前記吸収体ユニットを具備する請求項２２〜２４のいずれかに記載の吸収体製品。
【請求項２６】
請求項１〜２１のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体収納部と、
前記吸収体収納部に着脱自在に収納される吸収体と
を具備し、
前記吸収体製品本体と前記吸収体収納部との間の少なくとも一部に前記サーフェスシートを具備する吸収体製品。
【請求項２７】
前記サーフェスシートの上側の面に、前記ガイドシートが積層されている請求項２６に記載の吸収体製品。
【請求項２８】
前記サーフェスシートまたは前記ガイドシートの上側の面の少なくとも一部に、液透過性のスキンコンタクトシートを具備する請求項２６または２７に記載の吸収体製品。
【請求項２９】
前記吸収体収納部に、積層された複数個の前記吸収体を具備する請求項２６〜２８のいずれかに記載の吸収体製品。
【請求項３０】
中央部から前身頃までの尿処理部と、中央部から後見頃までの便処理部とを有する請求項１〜２９のいずれかに記載の吸収体製品であって、
前記サーフェスシートが、前記尿処理部のみに存在する吸収体製品。
【請求項３１】
少なくとも前記便処理部において、液透過性の尿逆流防止シートを前記吸収体の内部および／または上面に具備する請求項３０に記載の吸収体製品。
【請求項３２】
前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下である請求項１〜３１のいずれかに記載の吸収体製品。
【請求項３３】
前記リウェット量が２ｍＬ以下である請求項３２に記載の吸収体製品。
【請求項３４】
前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下である、請求項１〜３３のいずれかに記載の吸収体製品。
【手続補正２】
【補正対象書類名】明細書
【補正対象項目名】全文
【補正方法】変更
【補正の内容】
【発明の詳細な説明】
【技術分野】
【０００１】
本発明は、吸収体製品に関する。詳しくは、体外排出液の吸収速度が経時的に大きく低下することがなく、かつ、リウェット量が極めて少ない吸収体製品に関する。
【背景技術】
【０００２】
従来の吸収体製品は、上側（着用者の身体に近い側）に位置する液透過性のトップシートと、下側（着用者の身体に遠い側）に位置する液不透過性のバックシートと、これらの間に介在する吸収体とを具備する。この吸収体製品に尿、便、血液含有体液等の体外排出液（以下、単に「排出液」または「液」という。）が供給された場合、排出液は、まず液透過性のトップシートを通過して、吸収体に至る。排出液は、吸収体において、下側に拡散していき、液不透過性のバックシートに至って拡散が停止する。従来の吸収体製品はすべて、このような排出液の吸収機構を利用している。
しかしながら、このような吸収機構を利用する従来の吸収体製品には、二つの大きな本質的問題がある。第一に、排出液の吸収体への吸収量が多くなるに従って、吸収速度が遅くなるという問題がある。第二に、排出液の吸収量が多くなるに従って、特に、吸収容量の限界の付近において、吸収体からトップシートへの液の戻り量、即ち、リウェット量が増大するという問題がある。これらは、液の排出時および排出後における着用者の体表面の水分率を増大させ、蒸れやすく着用感を悪くするとともに、いわゆるオムツかぶれの主因ともなる。
これに対して、これらの問題の解決のために、トップシートや吸収体の性能、構造、通気性等に関して種々の提案がなされているが、未だ根本的な解決に至るような技術は開発されていない。
【発明の開示】
【発明が解決しようとする課題】
【０００３】
したがって、本発明の目的は、使用開始時から吸収容量の限界に達する最終段階時に至るまで、吸収速度が経時的に大きく低下することがなく、かつ、リウェット量が極めて少ない吸収体製品を提供することである。
【課題を解決するための手段】
【０００４】
本発明者は、上記目的を達成すべく鋭意研究した結果、従来の常識を破り、排出液を供給される部分である液透過性のトップシートの代わりに液不透過性のサーフェスシートを吸収体上に配し、サーフェスシートの上側の面から吸収体の下部に至る流路を設ける構造とすることによって、排出液の一部または全部を吸収体の下側から上側へと拡散させるという吸収機構を実現することができることを見出した。本発明者は、更に、上記吸収機構により、吸収速度が経時的に大きく低下することがなくなり、かつ、リウェット量が極めて少なくなることを見出した。そして、本発明者は、これらの知見に基づき、本発明を完成させた。
【０００５】
即ち、本発明は、以下の（１）〜（３４）を提供する。
（１）上側に位置する液不透過性のサーフェスシートと、
下側に位置する液不透過性のバックシートと、
前記サーフェスシートと前記バックシートとの間に介在する、高吸水性樹脂を含有し排出液を吸収しうる吸収体と
を具備し、
前記サーフェスシートに供給された排出液の一部または全部を前記吸収体の前記バックシートの側に移動させるための流路を有する、吸収体製品。
（２）前記流路が、前記吸収体の前後両端部、左右両端部および中央部の少なくとも一つに設けられている上記（１）に記載の吸収体製品。
（３）前記サーフェスシートが、単層の合成樹脂フィルムからなる上記（１）または（２）に記載の吸収体製品。
（４）前記サーフェスシートが、合成樹脂フィルムと前記合成樹脂フィルムの上側の面に設けられた不織布との積層体からなる上記（１）または（２）に記載の吸収体製品。
（５）前記合成樹脂フィルムが前記流路を構成する凹凸を有する上記（３）または（４）に記載の吸収体製品。
【０００６】
（６）前記サーフェスシートが、前記吸収体の上側の面の一部が露出するように配置されている上記（１）〜（５）のいずれかに記載の吸収体製品。
（７）前記サーフェスシートが、液透過性部を有する上記（１）〜（６）のいずれかに記載の吸収体製品。
（８）前記サーフェスシートの上側の面の少なくとも一部に、前記流路を有する液透過性のガイドシートが積層されている上記（１）〜（７）のいずれかに記載の吸収体製品。
（９）前記ガイドシートが、前記吸収体の側面の少なくとも一部を、直接にまたは前記サーフェスシートの上から、覆っている上記（８）に記載の吸収体製品。
（１０）前記ガイドシートが、前記流路を構成する凹凸を有し、凸部の一部または全部に開口を有する上記（８）または（９）に記載の吸収体製品。
（１１）前記サーフェスシートまたは前記ガイドシートの上側の面の少なくとも一部に、液透過性の不織布からなるスキンコンタクトシートが積層されている上記（１）〜（１０）のいずれかに記載の吸収体製品。
【０００７】
（１２）前記バックシートが、合成樹脂フィルムからなる上記（１）〜（１１）のいずれかに記載の吸収体製品。
（１３）前記バックシートを構成する前記合成樹脂フィルムが、通気性を有する上記（１２）に記載の吸収体製品。
（１４）前記バックシートが、合成樹脂フィルムと前記合成樹脂フィルムの下側の面に設けられた不織布との積層体からなる上記（１）〜（１１）のいずれかに記載の吸収体製品。
（１５）前記バックシートを構成する前記合成樹脂フィルムおよび前記不織布が、いずれも通気性を有する上記（１４）に記載の吸収体製品。
（１６）前記バックシートを構成する前記合成樹脂フィルムが、凹凸を有し、かつ、凸部の一部または全部に開口を有し、前記バックシートを構成する前記不織布が、１層以上のスパンボンド不織布と１層以上のメルトブローン不織布とを含む２層以上の耐水性の積層体である上記（１４）または（１５）に記載の吸収体製品。
（１７）前記バックシートを構成する前記合成樹脂フィルムが、上側の面に液のトラップ部を構成する凹凸を有する上記（１２）〜（１６）のいずれかに記載の吸収体製品。
【０００８】
（１８）前記吸収体が、高吸水性樹脂とフラッフ状パルプとの混合物を、液透過性のコアラッピングシートで被覆してなる上記（１）〜（１７）のいずれかに記載の吸収体製品。
（１９）前記吸収体が、２層の液透過性の不織布とその間に挟持された高吸水性樹脂とを有する上記（１）〜（１７）のいずれかに記載の吸収体製品。
（２０）前記吸収体が、液透過性の不織布に高吸水性樹脂をコーティング法により担持させてなる上記（１）〜（１７）のいずれかに記載の吸収体製品。
（２１）前記吸収体における前記高吸水性樹脂の含有量が５０質量％以上である上記（１）〜（２０）のいずれかに記載の吸収体製品。
【０００９】
（２２）上記（１）〜（２１）のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体ユニット収納部と、
前記吸収体ユニット収納部に着脱自在に収納される、少なくとも前記サーフェスシートと前記吸収体とが組み合わされて構成される吸収体ユニットと
を具備する吸収体製品。
（２３）前記吸収体製品本体と前記吸収体ユニット収納部との間の少なくとも一部に、前記ガイドシートを具備する上記（２２）に記載の吸収体製品。
（２４）前記吸収体製品本体と前記吸収体ユニット収納部との間の少なくとも一部に、液透過性のスキンコンタクトシートを具備する上記（２２）または（２３）に記載の吸収体製品。
（２５）前記吸収体ユニット収納部に、積層された複数個の前記吸収体ユニットを具備する上記（２２）〜（２４）のいずれかに記載の吸収体製品。
【００１０】
（２６）上記（１）〜（２１）のいずれかに記載の吸収体製品であって、
着用時に着用者の対象部位が入る内部空間を形成しうる吸収体製品本体と、
前記吸収体製品本体に隣接して前記内部空間に連通し、かつ、前記バックシートを内面に有する吸収体収納部と、
前記吸収体収納部に着脱自在に収納される吸収体と
を具備し、
前記吸収体製品本体と前記吸収体収納部との間の少なくとも一部に前記サーフェスシートを具備する吸収体製品。
（２７）前記サーフェスシートの上側の面に、前記ガイドシートが積層されている上記（２６）に記載の吸収体製品。
（２８）前記サーフェスシートまたは前記ガイドシートの上側の面の少なくとも一部に、液透過性のスキンコンタクトシートを具備する上記（２６）または（２７）に記載の吸収体製品。
（２９）前記吸収体収納部に、積層された複数個の前記吸収体を具備する上記（２６）〜（２８）のいずれかに記載の吸収体製品。
【００１１】
（３０）中央部から前身頃までの尿処理部と、中央部から後見頃までの便処理部とを有する上記（１）〜（２９）のいずれかに記載の吸収体製品であって、
前記サーフェスシートが、前記尿処理部のみに存在する吸収体製品。
（３１）少なくとも前記便処理部において、液不透過性または耐水性の尿逆流防止シートを前記吸収体の内部および／または上面に具備する上記（３０）に記載の吸収体製品。
（３２）前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下である上記（１）〜（３１）のいずれかに記載の吸収体製品。
（３３）前記リウェット量が２ｍＬ以下である上記（３２）に記載の吸収体製品。
（３４）前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下である、上記（１）〜（３３）のいずれかに記載の吸収体製品。
【発明の効果】
【００１２】
本発明の吸収体製品は、体外排出液の吸収速度が経時的に大きく低下することがなく、かつ、リウェット量が極めて少ないので、子供用オムツ、大人用オムツ、女性用生理用品等として好適に用いられる。
【発明を実施するための最良の形態】
【００１３】
以下、本発明の吸収体製品を添付図面に示す好適実施形態に基づいて詳細に説明する。なお、本発明における各図は、模式図であって、吸収体製品の厚さ方向を大きく描いている。
第１図は、本発明の吸収体製品の一例の一部を示す模式的な横断面図である。第１図においては、紙面に垂直な方向が、吸収体製品の前後方向（即ち、着用時に着用者の身体の前後に相当する方向）である（以下、すべての横断面図において同じ。）。第１図（Ａ）は、本発明の吸収体製品の構造の説明図であり、第１図（Ｂ）は、本発明の吸収体製品の使用状態の説明図である。
【００１４】
第１図（Ａ）に示されるように、本発明の吸収体製品は、液不透過性のサーフェスシート１０と、液不透過性のバックシート１２と、サーフェスシート１０とバックシート１２との間に介在する、高吸水性樹脂（Ｓｕｐｅｒ  Ａｂｓｏｒｂｅｎｔ  Ｐｏｌｙｍｅｒ、以下「ＳＡＰ」ともいう。）を含有し排出液を吸収しうる吸収体１４とを具備する。
本発明の吸収体製品に排出液が供給されると、第１図（Ｂ）に示されるように、上側に位置するサーフェスシート１０が液不透過性であるため、排出液はサーフェスシート１０の表面をその端部まで移動する。サーフェスシート１０の端部まで移動した排出液は、バックシート１２が液不透過性であるため、吸収体１４に一部吸収されつつ、吸収体１４とバックシート１２との間に形成される流路１６をバックシート１２の内表面に沿って移動し、吸収体１４に主に下側から吸収される。このようにして排出液は吸収体１４の下側から吸収され、その後、上側に拡散していく。
このように、本発明の吸収体製品は、サーフェスシートに供給された排出液の一部または全部を吸収体のバックシートの側に移動させるための流路を有するところに特徴がある。このような流路は、前記吸収体の前後両端部、左右両端部および中央部の少なくとも一つに設けられているのが好ましい。
【００１５】
第２図は、本発明の吸収体製品の例の一部を示す模式的な上面図（第２図（Ａ）および（Ｂ））および横断面図（第２図（Ｃ）および（Ｄ））である。第２図（Ａ）および（Ｂ）においては、図の上下方向が吸収体製品の前後方向である（以下、すべての上面図において同じ。）。第２図においては、説明の便宜上、サーフェスシート１０とバックシート１２と吸収体１４のみを示している。
第２図（Ａ）および（Ｃ）で表される吸収体製品においては、吸収体１４がその上面の全面をサーフェスシート１０に覆われており、その側面および下面の全面をバックシート１２に覆われている。この吸収体製品は、吸収体１４の前端部Ａ、後端部Ｂ、左端部Ｃおよび右端部Ｄのすべてに流路を有する。
第２図（Ｂ）および（Ｄ）で表される吸収体製品においては、２個の吸収体１４が間隙を隔てて左右に並べられ、それらの上面の全面を２枚のサーフェスシート１０に覆われており、それらの外側の側面および下面の全面を１枚のバックシート１２に覆われている。この吸収体製品は、吸収体１４の前端部Ａ、後端部Ｂ、左端部Ｃ、右端部Ｄおよび中央部Ｅのすべてに流路を有する。
【００１６】
第３０図は、従来の吸収体製品の一例の一部を示す模式的な横断面図である。第３０図（Ａ）は、従来の吸収体製品の構造の説明図であり、第３０図（Ｂ）は、従来の吸収体製品の使用状態の説明図である。
従来の吸収体製品は、通常、液透過性のトップシート１１と、液不透過性のバックシート１２と、トップシート１１とバックシート１２との間に介在する吸収体１４とを具備する。
従来の吸収体製品に排出液が供給されると、第３０図（Ｂ）に示されるように、上側に位置するトップシート１１が液透過性であるため、排出液はトップシート１１を通過して、吸収体１４に上側から吸収され、その後、下側に拡散していく。
これに対して、本発明の吸収体製品は、上述した構造により、排出液の一部または全部を吸収体１４の下側から上側へと拡散させるという吸収機構を実現したところに特徴がある。そして、この吸収機構により、吸収速度が経時的に大きく低下することがなくなり、かつ、リウェット量が極めて少なくなるのである。
【００１７】
本発明に用いられるサーフェスシート１０は、液不透過性である。本明細書において、「液不透過性」とは、排出液を実質的に透過させない性質を意味する。
サーフェスシート１０は、液不透過性であれば材料、構成等を特に限定されず、例えば、単層の合成樹脂フィルム、合成樹脂フィルムとその上側の面に設けられた不織布との積層体が好適に挙げられる。合成樹脂フィルムとしては、例えば、ＰＥ（ポリエチレン）、ＰＰ（ポリプロピレン）、ＰＥＴ（ポリエチレンテレフタレート）、ポリウレタン、架橋ＰＶＡ（ポリビニルアルコール）等のフィルム、空気を通すが液を透過しないいわゆる通気性フィルムが挙げられる。
サーフェスシート１０に用いられる合成樹脂フィルムは、流路１６を構成する凹凸を有するのが好ましい態様の一つである。ただし、本発明の吸収体製品が後述するガイドシートを有する場合は、流路１６を構成する凹凸を有しない場合であっても好適に用いられる。
また、サーフェスシート１０として、平滑で比較的軟らかい合成樹脂フィルムを用いる場合、配置される吸収体の表面に凹凸があると、その部分でフィルムが変形し、排出液が滞留してしまう場合がある。この場合は、合成樹脂フィルムと吸収体の上面を圧着させて平滑にするか、中央部を高くし、左右に屋根型等の勾配を有する構造にするかにより、排出液を速やかに移動させるようにすることができる。
凹凸を有する形状としては、例えば、多数の突起を有する形状、Ｖ字溝、Ｕ字溝等の溝を有する形状、うろこ状に重なり合った瓦状（ｉｍｂｒｉｃａｔｅ）、畝状が挙げられる。
【００１８】
第３図（Ａ）は、多数の突起を有するサーフェスシートの一例を示す模式的な斜視図であり、第３図（Ｂ）はその模式的な横断面図である。
サーフェスシート１０ａにおいては、多数の凹部が連なって排出液の流路１６として機能する。第３図に示されるサーフェスシート１０ａは、凸部を形成する多数の突起１８を有している。
サーフェスシート１０ａの凹凸の大きさは、取扱い性、コスト等を考慮すると、凸部を形成する突起１８の高さＨが０．３ｍｍ以上であるのが好ましく、０．５〜１．５ｍｍであるのがより好ましい。
サーフェスシート１０ａは、凸部が使用時に多少つぶれたとしても、排出液の流通が阻害されないという利点を有する。
【００１９】
第４図（Ａ）および（Ｂ）は、それぞれＶ字溝を有するサーフェスシートの例を示す模式的な横断面図であり、第４図（Ｃ）および（Ｄ）は、それぞれ畝状のサーフェスシートの例を示す模式的な横断面図である。
第５図（Ａ）および（Ｂ）は、それぞれＶ字溝を有するサーフェスシートの例を示す模式的な斜視図である。第５図（Ａ）においては、一方向のみにＶ字溝が形成されており、第５図（Ｂ）においては、直交する二方向にＶ字溝が形成されている。なお、溝の形状、方向、数、間隔等は、特に限定されない。また、畝状の場合も同様である。
【００２０】
サーフェスシート１０と吸収体１４の位置関係について説明する。
上述したように、サーフェスシート１０は、吸収体１４の上側に位置するものであり、特に限定されないが、具体的には、例えば、以下のような関係とすることができる。
第６図は、本発明の吸収体製品の例の一部を示す模式的な横断面図である。第６図においては、説明の便宜上、サーフェスシート１０と吸収体１４のみを示している。
第６図（Ａ）においては、サーフェスシート１０は、吸収体１４の上面を左右方向に全体に覆っている。この場合、サーフェスシート１０に供給された排出液は、サーフェスシート１０の表面に沿って速やかに吸収体１４の左右両端部の上部まで移動する。
第６図（Ｂ）においては、サーフェスシート１０は、吸収体１４の上面を左右方向に全体に覆い、更に、吸収体の左右の側面まで覆っている。この場合、サーフェスシート１０に供給された排出液は、サーフェスシート１０の表面に沿って速やかに吸収体１４の左右両端部の下部まで移動する。したがって、第６図（Ａ）の場合に比べて、吸収体１４の下部から吸収される排出液の割合が多くなる。
第６図（Ｃ）においては、サーフェスシート１０は、吸収体１４の上面を左右方向に全体に覆い、更に、吸収体の左右の側面および下面の一部まで覆っている。この場合、サーフェスシート１０に供給された排出液は、サーフェスシート１０の表面に沿って速やかに吸収体１４の下面まで移動する。したがって、第６図（Ｂ）の場合に比べて、排出液が吸収体１４の下面の中央部から吸収されやすくなる。
【００２１】
第６図（Ｄ）においては、サーフェスシート１０は、吸収体１４の上面を左右方向に一部のみ覆っている。この場合、サーフェスシート１０に供給された排出液は、サーフェスシート１０の表面に沿って速やかに吸収体１４の上面の端部よりに移動する。したがって、排出液の一部は、吸収体１４の上面から吸収されるが、残りは吸収体１４の側面および下面から吸収される。本発明においては、このように、排出液の一部が吸収体１４の下面以外の部分から吸収されてもよい。
第６図（Ｅ）においては、２個の吸収体１４が流路１６を隔てて左右に並べられ、２枚のサーフェスシート１０が、各吸収体１４の上面を左右方向に全体に覆い、更に、吸収体の左右の側面まで覆っている。そして、流路１６中に、サーフェスシート１０が延在している。この場合、サーフェスシート１０に供給された排出液は、サーフェスシート１０の表面に沿って速やかに流路１６の下部まで移動するとともに、その一部は外側の端部の下部まで移動する。したがって、排出液が吸収体１４における吸収体製品の中央部および外側部の両方に相当する部分から吸収されやすくなる。
第６図（Ｆ）においては、２個の吸収体１４が流路１６を隔てて左右に並べられ、２枚のサーフェスシート１０が、各吸収体１４の上面の全体を覆っている。この場合、サーフェスシート１０に供給された排出液は、サーフェスシート１０の表面に沿って速やかに各吸収体１４の外側の端部の上部まで移動するとともに、流路１６を通じて流路１６の下部まで移動する。この場合、排出液は、各吸収体１４の側面および下面から吸収されやすくなる。
【００２２】
第７図は、本発明の吸収体製品の例の一部を示す模式的な上面図である。第７図においては、説明の便宜上、サーフェスシート１０と吸収体１４のみを示している。
第７図（Ａ）においては、吸収体１４の上面の全体をサーフェスシート１０が覆っている。
第７図（Ｂ）においては、２個の吸収体１４が流路１６を隔てて左右に並べられ、２枚のサーフェスシート１０が、各吸収体１４の上面の全体を覆っている。
第７図（Ｃ）においては、サーフェスシート１０が、吸収体１４の上面の前後方向の一部を左右方向の全体に覆っており、吸収体１４の上面の一部がサーフェスシート１０の前後端部において露出している。
第７図（Ｄ）においては、サーフェスシート１０が、吸収体１４の上面の左右方向の一部を前後方向の全体に覆っており、吸収体１４の上面の一部がサーフェスシート１０の左右端部において露出している。
第７図（Ｅ）においては、２枚のサーフェスシート１０が、吸収体１４の上面の左右端部を覆っており、吸収体１４の上面の一部が中央部において露出している。
【００２３】
第７図（Ｆ）においては、サーフェスシート１０が吸収体１４の上面の全体を覆っているが、サーフェスシート１０は、左右方向の中央部に液透過性部２０を有している。
第７図（Ｇ）においては、サーフェスシート１０が吸収体１４の上面の全体を覆っているが、サーフェスシート１０は、左右方向の２箇所の所定部分に液透過性部２０を有している。
第７図（Ｆ）および（Ｇ）における液透過性部２０は、液透過性であれば材料、構成等を特に限定されず、例えば、サーフェスシート１０に開口を設けて液透過性としたものであってもよいし、サーフェスシート１０の一部を液透過性の材料（例えば、スパンボンド不織布）で構成してもよい。本明細書において、「液透過性」とは、排出液を実質的に透過させる性質を意味する。
【００２４】
第７図（Ａ）および（Ｂ）の場合、いずれもサーフェスシート１０に供給された排出液は、吸収体１４の上面から吸収されることなく、吸収体１４の側面および下面から吸収される。
第７図（Ｃ）〜（Ｇ）の場合、いずれもサーフェスシート１０に供給された排出液は、吸収体１４の露出した部分から、または液透過性部２０を通じて、一部が吸収体１４の上面から吸収され、残りが吸収体１４の側面および下面から吸収される。
このように、排出液が吸収体１４の上面、側面および下面のすべてから吸収される態様は、吸収速度が速くなる点では好ましいが、リウェット量の点では、若干性能が低下する方向になる。サーフェスシートが、吸収体の上側の面の一部が露出するように配置されている本発明の吸収体製品の他の態様としては、例えば、サーフェスシートを着用者の尿排出局部の近傍のみに部分的に配置させ、その部分のドライ性を確保する態様が挙げられる。
【００２５】
第６図（Ａ）〜（Ｆ）に示した位置関係と、第７図（Ａ）〜（Ｇ）に示した位置関係とは、組み合わせが可能な範囲で適宜組み合わせて、各種の配置とすることができる。また、サーフェスシート１０と吸収体１４とは、上述した以外の位置関係とすることもできる。
【００２６】
本発明においては、サーフェスシートの上側の面の少なくとも一部に、流路を有する液透過性のガイドシートが積層されているのが好ましい態様の一つである。ガイドシートは、供給された排出液がその流路を通じて吸収体の下側へ移動することを助ける。したがって、ガイドシートが積層されている場合、サーフェスシートを構成する合成樹脂フィルムが、流路を構成する凹凸を有していなくても、ガイドシートにより吸収体の下側への排出液の速やかな拡散が実現される。
排出液は、ガイドシートの流路を、毛細管現象ならびに湿潤、浸透および拡散により、移動する。この排出液の移動が効率的に起こるようにするためには、ガイドシートに親水性とある程度の厚さがあるのが好ましい。具体的には、例えば、液分配効果のある凹凸開口フィルムまたは凹凸成形プラスチックネット（例えば、本発明者が国際公開第０２／０６５９６５号パンフレットにおいて提案したもの）；嵩高な積層不織布（例えば、本発明者が特願２００１−２９７１６１号明細書および特願２００１−２９７１６２号明細書において提案した、表面が平滑なペーパー層または不織布層と表面が嵩高で凹凸のある繊維ウェブ層とが互いに接合されてなる複合体シート）を用いることができる。
【００２７】
ガイドシートは、流路を構成する凹凸を有し、凸部の一部または全部に開口を有するのが好ましい態様の一つである。
第８図は、流路を構成する凹凸を有し、凸部の全部に開口を有するガイドシートの一例を示す模式的な斜視図である。
ガイドシート２２においては、多数の凹部が連なって排出液の流路１６として機能する。第８図に示されるガイドシート２２は、凸部を形成する多数の突起２４を有しており、各突起２４はその頂点に開口２６を有している。
第８図に示されるような、凸部に開口を有するガイドシートは、疎水性材料からなる場合であっても、この開口も排出液の流路として機能する。即ち、排出液が開口を通してガイドシートの一方の側から他方の側へと移動するのである。
開口は、凸部の一部のみに設けられていてもよく、全部に設けられていてもよい。また、開口の単位面積あたりの個数は、特に限定されないが、１．０〜１００個／ｃｍ2 であるのが好ましい。
ガイドシート２２の凹凸の大きさは、取扱い性、コスト等を考慮すると、凸部を形成する突起２４の高さｈが０．３ｍｍ以上であるのが好ましく、０．５〜１．５ｍｍであるのがより好ましい。
ガイドシート２２は、凸部が使用時に多少つぶれたとしても、排出液の流通が阻害されないという利点を有する。
ガイドシート２２は、突起２４が下側に向いているのが好ましい。これにより突起２４とサーフェスシートの表面との間隙により形成される流路が大きくなり、排出液のガイドシート表面からサーフェスシート表面への移動が円滑になるからである。
【００２８】
また、本発明においては、サーフェスシートまたはガイドシートの上側の面の少なくとも一部に、液透過性の不織布からなるスキンコンタクトシートが積層されているのが好ましい態様の一つである。スキンコンタクトシートは、着用者の肌に直接接触する部分であり、このスキンコンタクトシートを設けることによって、着用感を向上させることができる。スキンコンタクトシートとしては、従来の吸収体製品のトップシートとして用いられているものを用いることができるが、抗菌性等のスキンケア性能を付与してもよい。また、本発明者らが、国際公開第０２／００１５４号パンフレットで提案したような特殊なスキンコンタクトシートを用いることもできる。
【００２９】
以上に説明したサーフェスシート、ガイドシートおよびスキンコンタクトシートの好適な構成例を具体的に説明する。
第９図は、本発明の吸収体製品の例の一部を示す模式的な横断面図（第９図（Ａ）〜（Ｄ））および斜視図（第９図（Ｅ））である。第９図においては、説明の便宜上、サーフェスシート１０と吸収体１４とガイドシート２２とスキンコンタクトシート２８のみを示している。
第９図（Ａ）においては、サーフェスシート１０が、合成樹脂フィルムと前記合成樹脂フィルムの上側の面に設けられた不織布との積層体からなっている。
第９図（Ｂ）においては、サーフェスシート１０が、単層の合成樹脂フィルムからなり、前記合成樹脂フィルムが流路１６を構成する凹凸を有し、サーフェスシート１０の上側の面に、液透過性の不織布からなるスキンコンタクトシート２８が積層されている。
第９図（Ｃ）においては、サーフェスシート１０が、単層の合成樹脂フィルムからなり、サーフェスシート１０の上側の面に、流路１６を有する液透過性のガイドシート２２が積層されている。
第９図（Ｄ）においては、第９図（Ｃ）に示されるガイドシート２２の上側の面に、更に、液透過性の不織布からなるスキンコンタクトシート２８が積層されている。
第９図（Ｅ）においては、サーフェスシート１０が、単層の合成樹脂フィルムからなり、サーフェスシート１０の上側の面に、多数の開口２６を有し、更に流路１６を有する液透過性のガイドシート２２が積層されている。サーフェスシート１０とガイドシート２２とは、結合部２２ａにより一体化されている。
【００３０】
第１０図は、本発明の吸収体製品の例の一部を示す模式的な横断面図である。第１０図においては、説明の便宜上、サーフェスシート１０と吸収体１４とガイドシート２２のみを示している。
第１０図（Ａ）においては、サーフェスシート１０が吸収体１４の上面から左右の端部まで覆い、ガイドシート２２が吸収体１４の上面から左右の端部まで覆い、更に下面の一部まで覆っている。
第１０図（Ｂ）においては、サーフェスシート１０が吸収体１４の上面を覆い、ガイドシート２２が吸収体１４の上面から左右の端部まで覆っている。
第１０図（Ｃ）においては、サーフェスシート１０が吸収体１４の上面を覆い、ガイドシート２２が吸収体１４の下面から左右の端部まで覆い、更に上面の一部まで覆っている。
第１０図（Ａ）〜（Ｃ）に示すように、ガイドシート２２が、吸収体１４の側面の少なくとも一部を、直接にまたはサーフェスシート１０の上から、覆っていると、排出液の拡散がより速くなる。
【００３１】
第１１図は、本発明の吸収体製品の例の一部を示す模式的な上面図である。第１１図においては、説明の便宜上、サーフェスシート１０と吸収体１４とガイドシート２２のみを示している。
第１１図（Ａ）においては、サーフェスシート１０が、吸収体１４の上面の左右方向の一部を前後方向の全体に覆っており、吸収体１４の上面の一部がサーフェスシート１０の左右端部において露出している。そして、ガイドシート２２が、サーフェスシート１０の上面の前後方向の一部を左右方向の全体に覆っており、吸収体１４の上面の一部およびサーフェスシート１０の上面の一部が露出している。
第１１図（Ｂ）においては、サーフェスシート１０と吸収体１４の配置は第１１図（Ａ）の場合と同様であるが、ガイドシート２２の形状が十字形であるため、吸収体１４の上面の一部およびサーフェスシート１０の上面の一部の露出の状態が異なっている。
【００３２】
本発明に用いられるバックシート１２は、液不透過性である。バックシート１２は、液不透過性であれば材料、構成等を特に限定されず、従来公知の吸収体製品に用いられているバックシートと同様のものを用いることができる。例えば、単層の合成樹脂フィルム、合成樹脂フィルムとその下側の面に設けられた不織布との積層体が好適に挙げられる。
合成樹脂フィルムとしては、例えば、マット加工されたＰＥフィルム、多孔質加工された通気性フィルムが挙げられる。通気性フィルムとは、合成樹脂フィルムをフィラーの添加、ポリマーブレンド等により多孔質化したものであって、ＭＶＴＲ（Ｍｏｉｓｔｕｒｅ  Ｖａｐｏｒ  Ｔｒａｎｓｍｉｓｓｉｏｎ  Ｒａｔｅ）が１０００〜６０００Ｌ／（ｍ2 ・２４ｈｒ）程度を示すものである。通気性フィルムの代表的なものとしては、ＰＥ樹脂にＣａＣＯ3 をフィラーとして加えたエスポワール（三井化学社製）、ポーラム（トクヤマ社製）が挙げられる。
【００３３】
本発明においては、バックシートが単層の合成樹脂フィルムからなる場合、その合成樹脂フィルムが、通気性を有するのが好ましく、また、バックシートが合成樹脂フィルムとその下側の面に設けられた不織布との積層体からなる場合、その合成樹脂フィルムおよび不織布が、いずれも通気性を有するのが好ましい。これらのようにしてバックシートに通気性をもたせると、着用感が向上する。また、バックシートの一部または全部に伸縮性を有する複合シート（例えば、特開平１０−１９５７４６号公報に記載されているもの）を用いることによって、更にフィット感等を向上させることができる。
【００３４】
本発明においては、バックシートを構成する合成樹脂フィルムが、上側の面に液のトラップ部を構成する凹凸を有するのが好ましい。本発明においては、排出液の吸収が吸収体の下側から上側へと行われるため、バックシートに凹凸を設けることにより、排出液が吸収体の下側の全体に均一に分散するようになる。
凹凸を有する形状としては、例えば、多数の突起を有する形状、Ｖ字溝、Ｕ字溝等の溝を有する形状、うろこ状に重なり合った瓦状（ｉｍｂｒｉｃａｔｅ）、畝状が挙げられる。
【００３５】
第１２図は、本発明に用いられるバックシートの例の模式的な上面図である。第１２図（Ａ）のバックシート１２は、凹部を形成する多数の溝３０を有している。第１２図（Ｂ）のバックシート１２は、凸部を形成する多数の突起３２を有している。
バックシートとして、具体的には、凹凸加工フィルム（例えば、本発明者らが提案した特願２００１−１３５２３９号明細書に記載されているもの）；バックシートを構成する合成樹脂フィルムが、凹凸を有し、かつ、凸部の一部または全部に開口を有し、バックシートを構成する前記不織布が、１層以上のスパンボンド不織布と１層以上のメルトブローン不織布とを含む２層以上からなる耐水性の積層体であるのも好ましい態様の一つである。
このような積層体としては、本発明者らが特願２００１−１２４２３７号明細書において提案した、凹凸開孔フィルムと耐水性のＳＭＳ不織布（スパンボンド／メルトブローン／スパンボンドの３層構造の不織布）との積層体が好適に挙げられる。
サーフェスシート１０と吸収体１４とバックシート１２の位置関係について説明する。
【００３６】
上述したように、バックシート１２は、吸収体１４の下側に位置するものであり、特に限定されないが、具体的には、例えば、以下のような関係とすることができる。
第１３図は、本発明の吸収体製品の例の一部を示す模式的な横断面図である。第１３図においては、説明の便宜上、サーフェスシート１０と吸収体１４とバックシート１２とガイドシート２２のみを示している。
第１３図（Ａ）においては、バックシート１２は、サーフェスシート１０により上面を覆われた吸収体１４の下面および左右の両側面を覆っている。
第１３図（Ｂ）においては、バックシート１２は、サーフェスシート１０により上面を覆われ、かつ、ガイドシート２２により上面、左右の両側面および下面の一部を覆われた吸収体１４の下面および左右の両側面を覆っている。
第１４図は、本発明の吸収体製品の例の一部を示す模式的な上面図である。第１４図においては、説明の便宜上、サーフェスシート１０と吸収体１４とバックシート１２のみを示している。
第１４図においては、吸収体１４の上面の一部をサーフェスシート１０が覆っており、吸収体１４およびサーフェスシート１０の下面の全体をバックシート１２が覆っている。
【００３７】
本発明に用いられる吸収体としては、従来公知の吸収体を用いることができる。具体的には、例えば、現在市販されている吸収体製品に用いられているような、ＳＡＰとフラッフ状パルプとの混合物を、ティッシュペーパー、スパンボンド不織布、開口フィルム等の液透過性のコアラッピングシートで被覆してなる吸収体が挙げられる。
また、例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤（例えば、熱融着繊維）を添加してシート状に成形して熱処理等により高吸水性シートを得る方法である。この方法で得られる高吸水性シートとしては、例えば、米国レオニヤ（Ｒａｙｏｎｉｅｒ）社製のＮｏｖａＴｈｉｎ（米国登録商標）、王子キノクロス社製のキノクロス（登録商標）が知られている。
【００３８】
また、ＳＡＰを分散スラリー等にして液透過性の不織布等の排出液透過性シートの少なくとも一方の面の上にコーティング法により担持させてなる高吸水性シートも挙げられる。この高吸水性シートについては、具体的には、本発明者らが提案した、特開平１０−１６８２３０号、特開平１０−３１４２１７号および特開２０００−２０１９７５号の各明細書等に記載されている。ここで、ＳＡＰの分散スラリーは、ＳＡＰと超微細セルロース繊維（ＭＦＣ：Ｍｉｃｒｏｆｉｂｒｉｌｌａｔｅｄ  Ｃｅｌｌｕｌｏｓｅ）とを、水とエタノールとの混合溶媒に分散させたものであるのが好ましい。この方法で得られる高吸水性シートとしては、例えば、（株）日本吸収体技術研究所製のメガシン（登録商標）が知られている。
【００３９】
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート；２層の液透過性の不織布とその間に挟持されたＳＡＰとを有する高吸水性シートが挙げられる。
【００４０】
これらの高吸水性シートの厚さは、１．５ｍｍ以下であるのが好ましく、１ｍｍ以下であるのがより好ましい。
上述した吸収体は、ＳＡＰの含有量が５０質量％以上であるのが好ましく、６０〜９５質量％であるのがより好ましい。
【００４１】
本発明の吸収体製品は、後述するように吸収体を複数個有していてもよいが、吸収体として上述したＳＡＰとフラッフ状パルプとの混合物を用いる場合には嵩が大きく、吸収容量（ｃａｐａｃｉｔｙ）が大きい一方で、保持量（ｒｅｔｅｎｔｉｏｎ）が相対的に小さいため、通常、単層で用いる。そのような吸収体を用いる従来の吸収体製品はリウェット量が多かったが、本発明においては、液不透過性のサーフェスシートを用いるので、リウェット量を従来の数十分の１まで減少させることができる。
一方、上述した高吸水性シートを用いる場合には、高吸水性シートが極めて薄く、吸収容量に比べて保持量が高いうえ、吸い上げ力（ｄｅｍａｎｄ  ｗｅｔｔａｂｉｌｉｔｙ）が大きいため、例えば、本発明者が特開２００２−１１３８００号公報において提案したように、複数個の吸収体で多層に構成して、下側の層から順次、排出液を吸収させるのが好ましい態様の一つである。
【００４２】
つぎに、本発明の吸収体製品の実施態様について説明する。
本発明の吸収体製品は、例えば、子供用および大人用のテープタイプオムツおよびプルオンタイプ（パンツ型）オムツ、女性用ナプキン、失禁用品等の従来の吸収体製品を用いて容易に得ることができる。即ち、従来の吸収体製品のトップシートと吸収体との間にサーフェスシート、好ましくはガイドシートと組み合わせたサーフェスシートを挿入することによって、大幅に機能が向上した本発明の吸収体製品とすることができる。
【００４３】
本発明の吸収体製品の好ましい実施態様の一つとして、着用時に着用者の対象部位が入る内部空間を形成しうる吸収体製品本体と、前記吸収体製品本体に隣接して前記内部空間に連通し、かつ、前記バックシートを内面に有する吸収体ユニット収納部と、前記吸収体ユニット収納部に着脱自在に収納される、少なくとも前記サーフェスシートと前記吸収体とが組み合わされて構成される吸収体ユニットとを具備する吸収体製品が挙げられる。
【００４４】
第１５図は、上記吸収体製品の一部の例を示す模式的な横断面図である。
第１５図（Ａ）に示される吸収体製品５０は、着用時に着用者の対象部位が入る内部空間を形成しうる吸収体製品本体５２と、吸収体製品本体５２に隣接して前記内部空間に連通し、かつ、バックシート１２を内面に有する吸収体ユニット収納部５４と、吸収体ユニット収納部５４に着脱自在に収納される、サーフェスシート１０と吸収体１４とが組み合わされて構成される吸収体ユニット５６とを具備する。なお、吸収体製品本体５２は、一部のみ示されており、図中上側が上記内部空間である。サーフェスシート１０、バックシート１２および吸収体１４については、上述したとおりである。
第１５図（Ａ）においては、吸収体製品本体５２を構成する部材が吸収体ユニット収納部５４を構成しており、吸収体ユニット収納部５４の内側に別部材で構成されるバックシート１２が設けられているが、本発明においては、吸収体ユニット収納部がバックシートを内面に有するのであればよく、例えば、バックシートを構成する部材自体が吸収体ユニット収納部を構成していてもよい。
吸収体製品本体５２としては、従来公知のオムツカバー等の複数回使用することができる耐洗濯性の材料から構成されている吸収体製品の本体を用いることができる。吸収体製品本体５２が、平編み、例えば、メリヤス編みのニット製品であると、着用時のフィット性が良好になるので好ましい。
第１５図に示されるバックシート１２の左右の両端には、サイドギャザー部材５８が設けられている。サイドギャザー部材５８は、ポリウレタンフィラメント束、弾性フィルム等の従来公知の構成とすることができる。
【００４５】
第１５図（Ｂ）に示される吸収体製品５１は、図示されるようにガイドシート２２を具備する以外は、吸収体製品５０と同様である。
第１５図（Ａ）および（Ｂ）に示される本発明の吸収体製品５０および５１は、いずれも吸収体製品本体５２と吸収体ユニット収納部５４とが直接連通している（即ち、サーフェスシート１０またはガイドシート２２が露出している）が、両者の間の少なくとも一部に、上述した液透過性のスキンコンタクトシートを具備していてもよい。
また、第１５図においては、吸収体ユニット収納部５４に、１個の吸収体ユニットが収納されているが、本発明においては、後述するように、積層された複数個の吸収体ユニットが収納されていてもよい。
【００４６】
また、本発明の吸収体製品の好ましい実施態様の一つとして、着用時に着用者の対象部位が入る内部空間を形成しうる吸収体製品本体と、前記吸収体製品本体に隣接して前記内部空間に連通し、かつ、前記バックシートを内面に有する吸収体収納部と、前記吸収体収納部に着脱自在に収納される吸収体とを具備し、前記吸収体製品本体と前記吸収体収納部との間の少なくとも一部に前記サーフェスシートを具備する吸収体製品も挙げられる。
第１６図は、上記吸収体製品の一部の例を示す模式的な上面図である。
第１６図に示される吸収体製品６０は、着用時に着用者の対象部位が入る内部空間を形成しうる吸収体製品本体５２と、吸収体製品本体５２に隣接して前記内部空間に連通し、かつ、バックシート（図示せず）を内面に有する吸収体収納部５５と、吸収体収納部５５に着脱自在に収納される吸収体１４とを具備し、吸収体１４をその上面から被覆するように吸収体収納部５５に取り付けられたサーフェスシート１０を具備する。なお、吸収体製品本体５２は、一部のみ示されており、図中上側が上記内部空間である。サーフェスシート１０、バックシートおよび吸収体１４については、上述したとおりである。
【００４７】
本発明においては、吸収体収納部がバックシートを内面に有するのであればよく、例えば、吸収体製品本体を構成する部材が吸収体収納部５５を構成し、吸収体収納部の内側にバックシートが別部材で構成されていてもよく、バックシートを構成する部材自体が吸収体収納部を構成していてもよい。
第１７図は、バックシートを構成する部材自体が吸収体収納部を構成する場合のバックシートの形状の好適な適用例の模式的な上面図である。このような構成とする場合は、バックシートとして、例えば、ゴアテックス等の耐久性のある耐水性材料を用いるのが好ましい。
第１７図（Ａ）〜（Ｅ）のバックシート１２は、いずれも凸部を形成する多数の線状の突起３２を有している。第１７図（Ｆ）のバックシート１２は、凹部を形成する多数の線状の溝３０を有している。例えば、キルティングされた布地を用いることができる。第１７図（Ｇ）のバックシート１２は、凸部を形成する多数の点状の突起３２を有している。
吸収体製品本体５２およびサイドギャザー部材５８については、第１５図に示される吸収体製品５０と同様である。
また、吸収体収納部の内側にバックシートが別部材で構成されている場合においても、吸収体収納部を構成する部材の形状に凹凸を設けることにより、それと積層されるバックシートに凹凸の影響を生じさせて、バックシートに凹凸を設けたのと同様の効果を得ることができる。
【００４８】
吸収体製品６０において、サーフェスシート１０の上側の面に、上述したガイドシートが積層されているのは、本発明の好ましい態様の一つである。この態様においては、ガイドシートがサーフェスシートの上側から覆うように積層されていてもよいが、ガイドシートが吸収体の下側からその側面をくるむようにサーフェスシートに積層されていてもよい。
また、吸収体製品６０は、吸収体製品５０および５１と同様に、液透過性のスキンコンタクトシートを具備していてもよい。
また、吸収体製品６０においては、後述するように、積層された複数個の吸収体１４が収納されていてもよい。
本発明の吸収体製品においては、上述したように、積層された複数個の吸収体ユニットまたは吸収体を具備するのが好ましい態様の一つである。特に、ＳＡＰの含有量が多く、薄くてコンパクトな吸収体、例えば、上述した高吸水性シートを用いる場合には、好適である。
【００４９】
積層する吸収体ユニットまたは吸収体の数は、２層以上であれば特に限定されないが、５層以下であるのが好ましい。５層以下であると、嵩高になりすぎず、コンパクトな吸収体製品とすることができる。
第１８図（Ａ）および（Ｂ）は、それぞれ積層された複数個の吸収体ユニットおよび積層された複数個の吸収体の例を示す模式的な横断面図である。第１８図（Ａ）においては、３層に積層された吸収体ユニット５６が示されている。第１８図（Ｂ）においては、３層に積層された吸収体１４が示されている。
第１８図（Ｃ）は、積層された複数個の吸収体ユニットを具備する本発明の吸収体製品の一部の例を示す模式的な横断面図である。第１８図に示される吸収体製品７０は、第１５図（Ａ）に示される吸収体製品５０において、１層であった吸収体ユニット５６を、第１８図（Ａ）に示されるように３層積層して用いたものである。
本発明の吸収体製品を多層化して用いる場合、多層化された層の数に応じた複数回の使用が可能となり、吸収体製品の交換の回数を、例えば、従来、１日あたり３〜５回であったものを１〜２回程度に減らすことができる。以下、複数回の使用が可能となる理由について説明する。
【００５０】
本発明の吸収体製品においては、上述したように、排出液は吸収体に主に下側から吸収され、その後、上側に拡散していく。排出液の大部分は、最も下側の吸収体に吸収される。そして、排出液は、最も下側の吸収体に吸収容量の限界またはその近くまで吸収された後、下から２番目の吸収体に吸収されていく。このようにして、最も上側の吸収体の吸収容量の限界に至るまで、排出液の下から上へと吸収が進行していく。したがって、吸収容量の限界まで排出液を吸収した吸収体を適宜個別に離脱させることにより、複数回の使用が可能となる。このようにすると、着用者の感じる嵩張り感や重量感をなくすことができるだけでなく、排出液を吸収した吸収体の重さによる圧力で吸収容量が低下することも防止することができる。
これに対して、仮に従来の液透過性のトップシートを用いた吸収体製品を多層化したとすると、上から下へと吸収が進むが、排出液が上側の吸収体の吸収容量の限界まで吸収される前に、その下側の吸収体への吸収が始まる。よって、すべての吸収体に、特に、その排出液を供給される上面からみて中央の部分に、排出液が吸収される。このように使用の初期からすべての吸収体が少しずつ膨潤し、個々の吸収体には排出液が全体に行き渡らないため、吸収体を個別に離脱させると利用効率が極めて悪くなってしまうので、個別に離脱させることができず、重くなってしまう。したがって、従来の吸収体製品の多層化は、現実的ではない。
また、本発明の吸収体製品においては、複数個の吸収体を用いた場合であっても、吸収体が１層の場合と同様に、リウェット量が極めて少なく、最も上側の吸収体の上面は、使用の開始から終了の直前まで、使用前と同様に乾いたままである。したがって、着用感が優れる。
【００５１】
使用された吸収体を離脱させる構造としては、特に限定されず、例えば、前記吸収体ユニット収納部または前記吸収体収納部に、開口部、好ましくは外部空間に開口している開口部を設けた構造が挙げられる。そのような構造としては、本発明者らが特願２００２−２３３２０９号明細書において提案した構造を好適に用いることができる。
【００５２】
中でも、取出用部材が設けられている構造が好ましい。この取出用部材の好ましい例としては、実開平７−１２１１７号公報に記載されているものが挙げられる。
第１９図は、取出用部材を有する本発明の吸収体製品の一例を示す説明図である。第１９図（Ａ）および（Ｂ）は、それぞれ吸収体の上面図および縦断面図であり、第１９図（Ｃ）は、前記吸収体を有する吸収体製品の縦断面図である。第１９図（Ｂ）および（Ｃ）においては、図の左側が吸収体製品の前側、図の右側が吸収体製品の後側である。なお、第１９図（Ａ）〜（Ｃ）においては、バックシートを図示していない。また、Ｍは着用者の身体を示す。
第１９図に示される吸収体製品８０は、吸収体１４の前端部の上部にテープ状の取出用部材６２を有している。取出用部材６２は、下面に粘着剤層６４を有しているのが好ましい。その場合、粘着剤層６４に対応する部分にはく離層６６を有していて、吸収体製品８０に組み込まれる前は、粘着剤層６４の表面にはく離層６６が密着しているのが好ましい。吸収体製品８０の吸収体ユニット収納部５４に収納された吸収体１４においては、取出用部材６２が吸収体ユニット収納部５４の開口部から外側に出て吸収体製品本体５２の側へと延在しており、取出用部材６２は粘着剤層６４により吸収体製品本体５２に固定されている。最下層の吸収体１４が吸収容量の限界まで排出液を吸収した後、取出用部材６２を引っ張って最下層の吸収体１４を容易に離脱させることができる。
【００５３】
本発明の吸収体製品は、サーフェスシート、バックシートおよび吸収体以外に、ガゼットギャザー、立体状サイドギャザー、ウエストギャザー、ファスニング機構（テープ、ベルクロ等）、廃棄時に用いられるラッピングテープ機構等の部材を具備することができる。これらについては、従来公知のものを用いることができる。
【００５４】
本発明の吸収体製品は、子供用オムツ、大人用オムツ、女性用生理用品等として好適に用いられる。
本発明の吸収体製品をオムツとして用いる場合、尿処理専用としてもよく、尿・便処理兼用としてもよい。尿・便処理兼用とするときには、中央部から前身頃までの尿処理部と、中央部から後見頃までの便処理部とを設け、前記サーフェスシートを前記尿処理部のみに存在させるのが好ましい。
第２０図は、本発明の吸収体製品の一部の例を模式的に示す上面図である。第２０図（Ａ）〜（Ｄ）においては、図の上が吸収体製品の前側、図の下が吸収体製品の後側である。
第２０図（Ａ）〜（Ｄ）のいずれにおいても、サーフェスシート１０は、吸収体１４の前側の尿処理部のみに存在し、後側の便処理部には存在していない。
この吸収体の前側と後側で異なっている構造およびその製造方法については、本発明者らが提案した特開平６−３４３６６０号公報に記載されている技術を利用するのが好ましい態様の一つである。このような構造とする場合には、レッグギャザー等も前側のみにつけることができる。
【００５５】
また、尿と便との混合は、臭いおよびかぶれが発生する原因の一つである。したがって、尿と便とを分離する手段、例えば、特開平７−２９９０９２号公報等に記載されている尿便セパレーターを本発明の吸収体製品に応用することもできる。
第２１図は、本発明の吸収体製品の一部の例を模式的に示す縦断面図である。第２１図においては、図の左側が吸収体製品の前側、図の右側が吸収体製品の後側である。
第２１図において、サーフェスシート１０は、吸収体１４の前側の尿処理部３４のみに存在し、後側の便処理部３６には存在していない。サーフェスシート１０は、吸収体１４の尿処理部３４と便処理部３６との境界付近においてガイドシート２２の上に折り返されており、尿処理部３４において排出された排出液（尿）が便処理部３６に移動しないように、折り返し部分に尿を一時的に貯留することができるようになっている。
【００５６】
この尿処理部と便処理部とを有する吸収体製品においては、少なくとも前記便処理部において、液不透過性または耐水性の尿逆流防止シートを前記吸収体の内部および／または上面に具備するのが好ましい。
第２２図は、本発明の吸収体製品の一部の例を模式的に示す縦断面図である。第２２図においては、図の左側が吸収体製品の前側、図の右側が吸収体製品の後側である。
第２２図に示される本発明の吸収体製品は、便処理部３６において、液不透過性または耐水性の尿逆流防止シート３８を吸収体１４の内部に具備する。この尿逆流防止シート３８について説明する。
第２１図に示されるような尿逆流防止シート３８を具備しない吸収体製品の場合は、サーフェスシート１０により尿が、尿処理部３４から便処理部３６へと吸収体１４の上側を移動することを防止することができるが、吸収体１４の下側から吸収された尿が吸収体１４の上側へと浸透し、便処理部３６の上側の表面に達してしまうことがある。即ち、尿が逆流してしまうことがある。そうすると、尿と便とを分離する効果がなくなり、臀部の汚れやオムツかぶれを助長するなどの問題が生じうる。
これに対して、第２２図に示されるような尿逆流防止シート３８を具備する吸収体製品の場合は、サーフェスシート１０により尿が、尿処理部３４から便処理部３６へと吸収体１４の上側を移動することを防止するとともに、吸収体１４の下側から吸収された尿が吸収体１４の上側へと浸透しても、吸収体１４の内部に液不透過性または耐水性の尿逆流防止シート３８を有するため、便処理部３６の上側の表面に達することを防止することができる。即ち、尿の逆流を防止することができる。これにより上記問題が生じることがないので好ましい。
【００５７】
尿逆流防止シート３８は、液不透過性または耐水性であれば材料、構成等を特に限定されず、上述したサーフェスシート１０およびバックシート１２と同様のフィルムや、耐水性不織布を用いることができる。本明細書において、「耐水性」とは、圧力１００ｍｍＨ2 Ｏ（９．８０７×１０2 Ｐａ）以下で水を透過させない性質をいう。耐水性不織布は、圧力２００ｍｍＨ2 Ｏ（１．９６１×１０3 Ｐａ）以下の耐水性を有するのが好ましい。
尿逆流防止シート３８は、吸収体１４の前後方向において、図２２に示されるように、少なくとも便処理部３６を覆うように存在するのが好ましい。また、吸収体１４の左右方向においても、尿が吸収体１４の上側の表面に達しないように、便処理部３６を覆っているのが好ましい。
尿逆流防止シート３８は、第２２図においては吸収体１４の内部に存在しているが、便処理部３６の表面に存在していてもよく、両方に存在していてもよい。また、複数枚存在していてもよい。尿逆流防止シート３８を吸収体１４の内部に存在させる方法は特に限定されず、例えば、吸収体１４が高吸水性シートを複数枚積層したものであれば、その高吸水性シートの間に挟持させればよい。
【００５８】
上述したように、本発明の吸収体製品は、サーフェスシートに供給された排出液の一部または全部が下側に移動する点で、従来の吸収体製品と大きく異なる。この点につき更に詳しく説明する。
第２３図は、排出液が吸収体製品に供給された際の挙動を説明するための横断面図である。第２３図においては、吸収体１４とその左右方向の全面を覆うシート（従来の吸収体製品においては液透過性のトップシート１１であり、本発明の吸収体製品においては液不透過性のサーフェスシート１０である。）のみが示されている。
シート１０または１１に供給される排出液の全量をＱとし、側面または下面から吸収される排出液の量の合計をＱ1 、上面から吸収される排出液の量の合計をＱ2 とする（ただし、Ｑ＝Ｑ1 ＋Ｑ2 である。）。
従来の吸収体製品においては、トップシート１１に供給された排出液は、ほぼ全量がトップシート１１を通過して吸収体１４に吸収されるため、通常、Ｑ1 が約１〜１０％、Ｑ2 が約９９〜９０％となり、Ｑ1 ／Ｑ2 が約０．０１〜０．１となる。
これに対して、吸収体１４の上面の全体をサーフェスシート１０で覆う態様の本発明の吸収体製品（例えば、第７図（Ａ）および（Ｂ）で示される各吸収体製品）においては、サーフェスシート１０に供給された排出液は、ほぼ全量がサーフェスシート１０の上面を移動してサーフェスシート１０の端部から吸収体１４の下側へと移動するため、通常、Ｑ1 が約９０〜９９％、Ｑ2 が約１０〜１％となり、Ｑ1 ／Ｑ2 が約９〜９９となる。
また、吸収体１４の上面の一部をサーフェスシート１０で覆う態様の本発明の吸収体製品（例えば、第７図（Ｃ）〜（Ｇ）で示される各吸収体製品）においては、サーフェスシート１０に供給された排出液は、一部がサーフェスシート１０の上面を移動してサーフェスシート１０の端部から吸収体１４の下側へと移動し、残りが露出した吸収体１４の上面から直接吸収されるため、設計にもよるが、例えば、Ｑ1 が約５０〜７０％、Ｑ2 が約５０〜３０％となり、Ｑ1 ／Ｑ2 が約１．０〜２．５となる。
以上に説明したように、本発明の吸収体製品は、排出液の吸収機構が従来の吸収体製品と大きく異なり、その結果、吸収速度の経時的な変化の抑制およびリウェット量の低下を実現したものである。
以下、実施例により、本発明の効果が更に具体的に説明される。
【実施例】
【００５９】
１．吸収体製品の吸収速度およびリウェット量
（１）吸収体製品の作成
（実施例１）
市販のオムツである花王社製のメリーズから、吸収体をトップシートが接着した状態で取り出した。
第２４図に示すように、取り出した吸収体１４の上下を反転させ、市販オムツに用いられているバックシート用通気性ＰＥフィルム（トクヤマ社製、厚さ２０μｍ）で覆って、液不透過性のサーフェスシート１０として機能するようにした。
この吸収体１４の上面、側面および下面の一部を多数の孔を有するＰＥフィルム（商品名「Ｔ１０６５０−１  ＴＥＣ」、Ｔｒｅｄｅｇｅｒ社製）で覆って、ガイドシート２２とした。
更に、市販オムツに用いられているバックシート用通気性ＰＥフィルム（トクヤマ社製、厚さ２０μｍ）で覆って、液不透過性のバックシート１２として、吸収体製品９０を得た。
【００６０】
（実施例２）
市販のオムツとして、ユニチャーム社製のマミーポココットンを用いた以外は、実施例１と同様の方法により、吸収体製品９０を得た。
（実施例３）
市販のオムツの代わりに、日本吸収体技術研究所社製の吸収体（高吸水性シート）であるメガシンを用いた試作品のオムツを用いた以外は、実施例１と同様の方法により、吸収体製品９０を得た。
なお、後述する吸収容量およびリウェット量の測定には、比較例１〜３として、花王社製のメリーズ、ユニチャーム社製のマミーポココットンおよび日本吸収体技術研究所社製の吸収体であるメガシンを用いた試作品のオムツを、それぞれそのまま用いた。
【００６１】
（２）吸収容量の測定
実施例１〜３で用いた２種の市販のオムツおよび１種の試作品のオムツの各吸収体について、以下のようにして吸収容量を測定した。
あらかじめ質量を測定したオムツを０．９質量％塩化ナトリウム水溶液に３０分間浸せきさせた。その後、オムツを引き上げ、引き上げた状態で３０秒間維持し、水切りを行った。オムツのトップシートが下側になるように、水切り用金網の上に載置し、吸収体の全体に荷重が掛かるように、アクリル板を載せ、更にその上におもり（１０ｋｇ）を置いて２０分間放置し、水切りを行った。その後、質量を測定し、質量の増加分を吸収容量とした（塩化ナトリウム水溶液の比重は１と考えた。）。測定は、ｎ＝２で行った。
吸収容量は、花王社製のメリーズが７０７ｍＬ、ユニチャーム社製のマミーポココットンが６０６ｍＬ、日本吸収体技術研究所社製の吸収体であるメガシンを用いた試作品のオムツが７５６ｍＬであった。
【００６２】
（３）吸収速度の測定
実施例１〜３および比較例１〜３の吸収体製品について、以下のようにして、吸収速度の測定を行った。
第２５図に示すように、内径２．０ｃｍの円筒状の給液部を有し、前記給液部の周囲に配置されたおもり９４を有する給液板（大きさ７．５ｃｍ×１０ｃｍ、プラスチック製）９２を、吸収体製品９０の上面の中央に載置し、０．１ｐｓｉ（６．８９５×１０2 Ｐａ）の荷重をかけた。なお、第２５図（Ａ）は、斜視図であり、第２５図（Ｂ）は縦断面図である。
給液部に１００ｍＬの０．９質量％塩化ナトリウム水溶液を給液し、給液部の内部に塩化ナトリウム水溶液がなくなったと目視で認められるまでの時間を測定した。この操作を給液開始時を基準として１０分間間隔で繰り返し、計３回行った。
結果を第１表に示す。
【００６３】
【表１】
2004052257.tif 000042
【００６４】
第１表から明らかなように、本発明の吸収体製品（実施例１〜３）は、従来の吸収体製品（比較例１〜３）に比べて、格段に吸収速度が速く、かつ、吸収速度が経時的にほとんど変わらなかった。特に、吸収体としてＳＡＰとフラッフ状パルプとの混合物を用いている場合、従来、吸収速度が遅く、また、吸収速度の経時的変化が大きかったが（比較例１および２）、本発明の吸収体製品（実施例１および２）では顕著に改善されていた。
【００６５】
（４）リウェット量の測定
（ａ）給液量１００ｍＬごとのリウェット量
実施例１および３ならびに比較例１および３の吸収体製品について、以下のようにして、給液量１００ｍＬごとのリウェット量の測定を行った。
無荷重下で、吸収体製品の上面の中央に、上方１０ｍｍの位置からビューレットを用いて、１００ｍＬの０．９質量％塩化ナトリウム水溶液を１３ｍＬ／ｓｅｃの割合で、滴下した。滴下開始から５分経過した後、あらかじめ質量を測定しておいたろ紙を、中心を滴下位置に合わせて置き、その上におもりを載置し、０．１ｐｓｉ（６．８９５×１０2 Ｐａ）の荷重をかけた。３分後、おもりを取り除いて、ろ紙の質量を測定し、給液量１００ｍＬごとのリウェット量とした。この操作を滴下開始時を基準として１０分間隔で繰り返し、計７回行った。
結果を第２表に示す。
【００６６】
【表２】
2004052257.tif 000043
【００６７】
（ｂ）吸収容量の１／２給液時（５０％給液時）のリウェット量
実施例１〜３および比較例１〜３の吸収体製品について、以下のようにして、吸収容量の１／２給液時のリウェット量の測定を行った。
無荷重下で、吸収体製品の上面の中央に、上方１０ｍｍの位置からビューレットを用いて、１００ｍＬの０．９質量％塩化ナトリウム水溶液を１３ｍＬ／ｓｅｃの割合で、滴下した。滴下開始時を基準として滴下を５分間隔で、吸収容量の１／２（実施例１および３ならびに比較例１および３については３５０ｍＬ、実施例２および比較例２については３００ｍＬとした。）の量を滴下するまで繰り返し行った。なお、吸収容量の１／２が３５０ｍＬである場合は、４回目の塩化ナトリウム水溶液の滴下量を５０ｍＬとした。最後の滴下開始から５分経過した後、あらかじめ質量を測定しておいたろ紙を、中心を滴下位置に合わせて置き、その上におもりを載置し、０．１ｐｓｉ（６．８９５×１０2 Ｐａ）の荷重をかけた。３分後、おもりを取り除いて、ろ紙の質量を測定し、吸収容量の１／２給液時のリウェット量とした。
このようにしてリウェット量の測定を３回行い、平均値を算出した。
また、荷重が０．５ｐｓｉ（３．４４８×１０3 Ｐａ）となるようにおもりを代えて、同様の方法で吸収容量の１／２給液時のリウェット量を３回測定し、平均値を算出した。
結果を第３表に示す。
【００６８】
【表３】
2004052257.tif 000044
【００６９】
第２表および第３表から明らかなように、本発明の吸収体製品（実施例１〜３）は、従来の吸収体製品（比較例１〜３）に比べて、格段にリウェット量が少なく、かつ、リウェット量の経時的な変化もほとんどなかった。
【００７０】
２．複数個の吸収体ユニットを具備する吸収体製品の性状
（１）吸収体製品の作成
（実施例４ならびに比較例４および５）
第２６図に示される複数個の吸収体ユニットを具備する吸収体製品１００を作成した。吸収体製品本体５２としては、縫製されたメリヤス製の女性用ショーツ（グンゼ社製）に防漏バックシートを持つ吸収体収納部を取り付けたものを用いた。第２６図（Ａ）は正面図であり、第２６図（Ｂ）は上面図である。第２６図（Ａ）においては、手前が吸収体製品の前側である。
吸収体製品本体５２の吸収体ユニット収納部５４には、第２７図に示される各吸収体ユニット３個を積層して得られた、第２８図に示される積層体を収納させて、吸収体製品１００を得た。第２７図および第２８図は、いずれも横断面図である。
実施例４に用いた吸収体ユニットは、第２７図（Ａ）に示されるように、一方の面にＳＡＰ層１０２を有する高吸水性シートを、その面が内側になるように二つ折りにした吸収体１４の上面、側面および下面の一部を液不透過性のサーフェスシート１０で覆ったものである。
比較例４に用いた吸収体ユニットは、第２７図（Ｂ）に示されるように、実施例４と同様の吸収体１４の下面、側面および上面の一部を液透過性のシート１０４で覆ったものである。
比較例５に用いた吸収体ユニットは、第２７図（Ｃ）に示されるように、実施例４の液不透過性のサーフェスシート１０の代わりに液透過性のシート１０４を用いたものである。
【００７１】
実施例４においては、第２７図（Ａ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。積層された３個の吸収体ユニットをその上面、側面および下面のほとんどをガイドシート２２で覆って用いた。
比較例４においては、第２７図（Ｂ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。
比較例５においては、第２７図（Ｃ）に示された吸収体ユニットを３個を積層して用いた（上から第１層、第２層および第３層とする。）。第１層と第２層との間、および、第２層と第３層との間は、その左右の端部において、ホットメルト接着剤層１０６により簡易に接着させた。
【００７２】
（２）吸収性試験
実施例４ならびに比較例４および５の吸収体製品を実際に着用者に着用させ、それぞれ立位で２回の排尿を行わせた。第１回の排尿の後、吸収体のうち所定の１層を除去して第２回の排尿を行わせた。各回の排尿の量は約２００ｍＬであった。各回における吸収体の各層の吸収量を測定し、利用率を算出した。
実施例４の第１回の排尿後の結果を第４表に示す。
【００７３】
【表４】
2004052257.tif 000045
【００７４】
第４表に示されるように、最下層である第３層のみが尿を吸収しており、第１層および第２層は、尿を吸収していなかった。また、目視観察によれば、第３層では吸収が全面でほぼ均一に起こっている一方、第１層および第２層には、濡れた様子が観察されなかった。
第１回の排尿の後、吸収体の第３層を吸収体ユニット収納部から取り出した。この際、第１層および第２層は吸収体ユニット収納部においてガイドシートに覆われた状態で残っていた。即ち、吸収体の第３層の取り出しは、特に問題なく、容易に行うことができた。
実施例４の第２回の排尿後の結果を第５表に示す。
【００７５】
【表５】
2004052257.tif 000046
【００７６】
第５表に示されるように、最下層である第２層がほぼ吸収容量の限界まで尿を吸収しており、第１層は、第２層で吸収されなかった分を吸収していた。
第２回の排尿の後、吸収体の第２層を取り出した。第２層の取り出しも、特に問題なく、容易に行うことができた。
比較例４の第１回の排尿後の結果を第６表に示す。
【００７７】
【表６】
2004052257.tif 000047
【００７８】
第６表に示されるように、最上層である第１層が尿の約半分を吸収していたが、第２層および第３層も、尿を吸収していた。また、目視観察によれば、第１層では、前側の約１／５を残して全面で吸収していた。ただし、後側の吸収後の厚さが約１．５ｃｍと厚かったので、尿が一時的に吸収されずに貯留され、その後、徐々に吸収されたのだと推測された。第２層では、後側の約１／３の部分で厚さが約１ｃｍとなるまで吸収していたほか、前側でも第１層から浸透したと推測される部分があった。第３層では、後側の約１／３の部分で厚さが約１ｃｍとなるまで吸収していた。
第１回の排尿の後、吸収体の第１層を吸収体ユニット収納部から取り出した。この際、第１層のみを取り出すことはできず、第２層および第３層も一緒に出てきてしまったので、第１層を分離した後、第２層および第３層を吸収体ユニット収納部に戻した。即ち、吸収体の第１層の取り出しは、困難であった。
比較例４の第２回の排尿後の結果を第７表に示す。
【００７９】
【表７】
2004052257.tif 000048
【００８０】
第７表に示されるように、最上層である第２層が尿の約２／３を吸収していたが、第３層も、尿を吸収していた。
第２回の排尿の後、吸収体の第２層を吸収体ユニット収納部から取り出したが。第２層の取り出しも、困難であった。
比較例５の第１回の排尿後の結果を第８表に示す。
【００８１】
【表８】
2004052257.tif 000049
【００８２】
第８表に示されるように、第１層から第３層まで、ほぼ均一に吸収が起こっていた。したがって、いずれかの層を取り出して継続的に使用することが想定されにくいので、第２回の排尿は行わなかった。
なお、第４表〜第８表において、「設計吸収量」とは、各吸収体の０．５ｐｓｉ（３．４４８×１０3 Ｐａ）の荷重下での０．９質量％塩化ナトリウム水溶液の吸収容量である。
【００８３】
以上の実施例から明らかなように、本発明の吸収体製品は、前記吸収体に、前記吸収体の吸収容量の５０％の量の０．９質量％塩化ナトリウム水溶液を、２５℃で無荷重下で吸収させた後、吸収開始から５分間経過した後に０．１ｐｓｉの荷重下で測定されるリウェット量が５ｍＬ以下、好ましくは２ｍＬ以下であるのが好ましい態様の一つである。
【００８４】
また、本発明の吸収体製品は、前記吸収体の０．９質量％塩化ナトリウム水溶液の吸収容量が３００ｍＬ以上であり、
前記吸収体に、無荷重下で１０分間隔で３回に分けて１００ｍＬずつ生理食塩水を吸収させた場合において、
リウェット量の３回の平均値が５ｍＬ以下であり、
リウェット量の標準偏差が３ｍＬ以下であり、
前記吸収体に、０．１ｐｓｉの荷重下で１０分間隔で３回に分けて１００ｍＬずつ生理食塩水を吸収させた場合において、
吸収時間の３回の平均値が３０秒以下であり、
吸収時間の標準偏差が２秒以下であるのが好ましい態様の一つである。
【００８５】
３．尿逆流防止シートを具備する吸収体製品の性状
いずれも尿・便処理兼用である、第２１図に示される尿逆流防止シートを具備しない吸収体製品と、第２２図に示される尿逆流防止シートを具備する吸収体製品の便処理部におけるリウェット量を比較した。サーフェスシート１０、吸収体１４、ガイドシート２２および尿逆流防止シート３８の左右方向の幅は等しかった。
第２９図に示されるように、内径２．０ｃｍの円筒状の給液部を有し、前記給液部の周囲に配置されたおもり９４を有する給液板９２を、吸収体製品１４の尿処理部３４の上に置き、０．１ｐｓｉの荷重をかけた。一方、あらかじめ質量を測定しておいたろ紙９６を、吸収体製品１４の便処理部３６の上に置き、更にアクリル板９８を載せ、アクリル板９８の上におもり９９を載せて０．１ｐｓｉの荷重をかけた。
給液部に１００ｍＬの０．９質量％塩化ナトリウム水溶液を給液し、給液開始から３分経過した後に、ろ紙を外して質量を測定した。この操作を給液開始時を基準として１０分間間隔で繰り返し、計３回行った。
結果を第９表に示す。
【００８６】
【表９】
2004052257.tif 000050
【００８７】
第９表に示されるように、尿・便処理兼用の吸収体製品において、尿逆流防止シートを具備する場合、便処理部におけるリウェット量が極めて少なかった。
【図面の簡単な説明】
【００８８】
【図１】第１図は、本発明の吸収体製品の一例の一部を示す模式的な横断面図である。
【図２】第２図は、本発明の吸収体製品の例の一部を示す模式的な上面図および横断面図である。
【図３】第３図（Ａ）は、多数の突起を有するサーフェスシートの一例を示す模式的な斜視図であり、第３図（Ｂ）はその模式的な横断面図である。
【図４】第４図（Ａ）および（Ｂ）は、それぞれＶ字溝を有するサーフェスシートの例を示す模式的な横断面図であり、第４図（Ｃ）および（Ｄ）は、それぞれ畝状のサーフェスシートの例を示す模式的な横断面図である。
【図５】第５図（Ａ）および（Ｂ）は、それぞれＶ字溝を有するサーフェスシートの例を示す模式的な斜視図である。
【図６】第６図は、本発明の吸収体製品の例の一部を示す模式的な横断面図である。
【図７】第７図は、本発明の吸収体製品の例の一部を示す模式的な上面図である。
【図８】第８図は、流路を構成する凹凸を有し、凸部の全部に開口を有するガイドシートの一例を示す模式的な斜視図である。
【図９】第９図は、本発明の吸収体製品の例の一部を示す模式的な横断面図（第９図（Ａ）〜（Ｄ））および斜視図（第９図（Ｅ））である。
【図１０】第１０図は、本発明の吸収体製品の例の一部を示す模式的な横断面図である。
【００８９】
【図１１】第１１図は、本発明の吸収体製品の例の一部を示す模式的な上面図である。
【図１２】第１２図は、本発明に用いられるバックシートの例の模式的な上面図である。
【図１３】第１３図は、本発明の吸収体製品の例の一部を示す模式的な横断面図である。
【図１４】第１４図は、本発明の吸収体製品の例の一部を示す模式的な上面図である。
【図１５】第１５図は、本発明の吸収体製品の一部の例を示す模式的な横断面図である。
【図１６】第１６図は、本発明の吸収体製品の一部の例を示す模式的な上面図である。
【図１７】第１７図は、バックシートを構成する部材自体が吸収体収納部を構成する場合のバックシートの形状の好適な適用例の模式的な上面図である。
【図１８】第１８図（Ａ）および（Ｂ）は、それぞれ積層された複数個の吸収体ユニットおよび積層された複数個の吸収体の例を示す模式的な横断面図であり、第１８図（Ｃ）は、積層された複数個の吸収体ユニットを具備する本発明の吸収体製品の一部の例を示す模式的な横断面図である。
【図１９】第１９図は、取出用部材を有する本発明の吸収体製品の一例を示す説明図である。
【図２０】第２０図は、本発明の吸収体製品の一部の例を模式的に示す上面図である。
【００９０】
【図２１】第２１図は、本発明の吸収体製品の一部の例を模式的に示す縦断面図である。
【図２２】第２２図は、本発明の吸収体製品の一部の例を模式的に示す縦断面図である。
【図２３】第２３図は、排出液が吸収体製品に供給された際の挙動を説明するための横断面図である。
【図２４】第２４図は、実施例に用いた吸収体製品を模式的に示す横断面図である。
【図２５】第２５図は、実施例における吸収速度の測定の方法の説明図である。
【図２６】第２６図は、実施例に用いた複数個の吸収体ユニットを具備する吸収体製品を模式的に示す正面図および上面図である。
【図２７】第２７図は、実施例に用いた吸収体ユニットを模式的に示す横断面図である。
【図２８】第２８図は、第２７図に示される吸収体ユニットを用いた吸収体製品を模式的に示す横断面図である。
【図２９】第２９図は、実施例における尿・便処理兼用の吸収体製品のリウェット量の測定の方法の説明図である。
【図３０】第３０図は、従来の吸収体製品の一例の一部を示す模式的な横断面図である。
【国際調査報告】
2004052257.tif 000051
2004052257.tif 000052
2004052257.tif 000053
2004052257.tif 000054
2004052257.tif 000055
2004052257.tif 000056